(57)【要約】  実施形態は、通信システムの参加者のためのコントローラであって、通信システムが、複数の通信システムによる通信に使用される周波数帯域において無線通信し、コントローラが、チャネルアクセスパターンを識別するように構成され、チャネルアクセスパターンが、通信システムの通信に使用可能な周波数帯域の周波数ホップベースおよび／または時間ホップベースの占有を示し、コントローラが、数値シーケンスまたは数値シーケンスの番号を生成するための数値シーケンスジェネレータの状態の関数としてチャネルアクセスパターンを識別するように構成される、コントローラを提供する。
2021528913.tif 000002
【特許請求の範囲】
【請求項１】
通信システム（１０２）の基地局（１０４）であって、前記通信システム（１０２）が、複数の通信システムによる通信に使用される周波数帯域において無線通信し、
前記基地局（１０４）が、信号（１２０）を送信するように構成され、前記信号（１２０）が、チャネルアクセスパターン（１１０）に関する情報を含み、前記チャネルアクセスパターン（１１０）が、前記通信システムの前記通信に使用可能な前記周波数帯域の周波数ホップベースおよび／または時間ホップベースの占有を示し、前記情報が、数値シーケンスを生成するための数値シーケンスジェネレータ（１３４）の状態（１４２）を記述し、または前記情報が、数値シーケンスの番号（１４３＿１、１４３＿２）を記述し、前記数値シーケンスが、前記チャネルアクセスパターン（１１０）を決定する、基地局（１０４）。
【請求項２】
前記チャネルアクセスパターンが、前記複数の他の通信システムのうちの少なくとも１つの他の通信システムがそれに基づいて前記周波数帯域にアクセスする別のチャネルアクセスパターンとは異なる、請求項１に記載の基地局（１０４）。
【請求項３】
前記基地局（１０４）が、前記他の通信システムに関して非協調的に動作するように構成される、請求項１〜２のいずれか一項に記載の基地局（１０４）。
【請求項４】
前記基地局（１０４）が、前記チャネルアクセスパターンまたはそのサブセットによって決定されるリソースを使用することによって、前記通信システムの参加者と通信するように構成される、請求項１〜３のいずれか一項に記載の基地局（１０４）。
【請求項５】
前記基地局（１０４）が、前記チャネルアクセスパターン（１１０）に関する前記情報を有する前記信号（１２０）を複数回放出するように構成され、
前記信号（１２０）の連続放出とともに転送される前記チャネルアクセスパターン（１１０）に関する前記情報が、前記数値シーケンスジェネレータ（１３４）の異なる状態（１４２）または前記数値シーケンスの異なる番号（１４３＿１，１４３＿２）を記述する、請求項１〜４のいずれか一項に記載の基地局（１０４）。
【請求項６】
前記信号（１２０）の放出とともに転送される前記情報が、前記数値シーケンスジェネレータの前記状態（１４２）のサブセットまたは前記数値シーケンスの前記番号（１４３＿１，１４３＿２）のみを記述する、請求項１〜５に記載の基地局（１０４）。
【請求項７】
前記チャネルアクセスパターン（１１０）に関する前記情報が、前記数値シーケンスジェネレータ（１３４）の前記状態（１４２）またはそこから導出された情報であり、
または、前記チャネルアクセスパターン（１１０）に関する前記情報が、前記数値シーケンスの前記番号（１４３＿１、１４３＿２）またはそこから導出された情報である、請求項１〜６のいずれか一項に記載の基地局（１０４）。
【請求項８】
前記基地局（１０４）が、前記数値シーケンスジェネレータ（１３４）の前記状態（１４２）または前記数値シーケンスジェネレータ（１３４）の前記状態（１４２）から導出された前記数値シーケンスの番号（１４２’）の関数として前記チャネルアクセスパターン（１１０）を識別するように構成される、請求項１〜７のいずれか一項に記載の基地局（１０４）。
【請求項９】
前記数値シーケンスジェネレータ（１３８）の状態（１４２）に続く前記数値シーケンスジェネレータ（１３８）の前記状態（１４２）が、前記数値シーケンスジェネレータ（１３８）の前記状態（１４２）に基づいて識別可能であり、
前記基地局（１０４）が、前記数値シーケンスジェネレータ（１３８）の前記次の状態（１４２）またはそれから導出された前記数値シーケンスの次の番号（１４２’）の関数として前記チャネルアクセスパターン（１１０）を識別するように構成される、請求項１〜８に記載の基地局（１０４）。
【請求項１０】
前記基地局（１０４）が、前記通信システム（１０２）の個々の情報の関数として前記チャネルアクセスパターン（１１０）を識別するように構成される、請求項１〜９のいずれか一項に記載の基地局（１０４）。
【請求項１１】
前記通信システム（１０２）の前記個々の情報が、前記通信システム（１０２）の固有の情報である、請求項１０に記載の基地局（１０４）。
【請求項１２】
前記通信システム（１０２）の前記固有の情報が、ネットワーク固有の識別子（１４０）である、請求項１１に記載の基地局（１０４）。
【請求項１３】
前記ネットワーク固有の識別子が、前記通信システム（１０２）の識別である、請求項１２に記載の基地局（１０４）。
【請求項１４】
前記基地局（１０４）が、マッピング関数を使用することによって、
−前記数値シーケンスジェネレータ（１３４）の前記状態（１４２）または前記数値シーケンスジェネレータ（１３４）の前記状態（１４２）から導出された前記数値シーケンスの番号（１４２’）、または前記数値シーケンスの前記番号（１４３＿１、１４３＿２）、および
−前記通信システムの前記個々の情報（１０２）
を時間情報（１４８）および周波数情報（１４６）上にマッピングするように構成され、
前記時間情報（１４８）および前記周波数情報（１４６）が、前記チャネルアクセスパターン（１１０）のリソース（１１２）を記述する、請求項１〜１３のいずれか一項に記載の基地局（１０４）。
【請求項１５】
前記時間インデックス情報（１４８）が、タイムスロットまたはタイムスロットインデックスを記述する、請求項１４に記載の基地局（１０４）。
【請求項１６】
前記時間情報（１４８）をマッピングするとき、前記マッピング関数が、前記通信システム（１０２）の活動率を考慮し、
前記活動率が、実行前に指定されるか、または前記信号（１２０）または前記基地局（１０４）によって送信されるさらなる信号が、前記活動率に関する情報を含む、請求項１４〜１５のいずれか一項に記載の基地局（１０４）。
【請求項１７】
前記時間情報（１４８）上にマッピングするとき、前記マッピング関数が、前記チャネルアクセスパターン（１１０）が異なる活動率の領域を含むように、前記通信システム（１０２）の異なる活動率を考慮し、
前記信号（１２０）または前記さらなる信号が、前記活動率に関する情報を含む、請求項１６に記載の基地局（１０４）。
【請求項１８】
前記基地局（１０４）が、前記通信システム（１０２）の現在のまたは予測される利用状況の関数として前記活動率を動的に適応させるように構成される、請求項１６〜１７のいずれか一項に記載の基地局（１０４）。
【請求項１９】
前記時間情報（１４８）上にマッピングするとき、前記マッピング関数が、前記チャネルアクセスパターン（１１０）の連続するタイムスロットまたはタイムスロットインデックス間の指定された最小距離にしたがう、請求項１５〜１８のいずれか一項に記載の基地局（１０４）。
【請求項２０】
前記周波数情報（１４６）が、周波数チャネルまたは周波数チャネルインデックスを記述する、請求項１４から１９のいずれか一項に記載の基地局（１０４）。
【請求項２１】
前記周波数情報（１４６）が、連続する周波数チャネル間の距離、または前記チャネルアクセスパターン（１１０）の周波数チャネルインデックスを記述する、請求項１４〜１９のいずれか一項に記載の基地局（１０４）。
【請求項２２】
前記周波数情報（１４６）上にマッピングするとき、前記マッピング関数が、連続する周波数チャネル間の指定された最小距離または前記チャネルアクセスパターン（１１０）の周波数チャネルインデックスにしたがう、請求項２０〜２１のいずれか一項に記載の基地局（１０４）。
【請求項２３】
前記周波数情報（１４６）上にマッピングする場合、干渉しやすい周波数チャネルまたは前記干渉しやすい周波数チャネルの範囲が、前記チャネルアクセスパターン（１１０）によって占有されていないかまたはより少なく占有されるように前記マッピング関数が、前記周波数帯域の前記干渉しやすい周波数チャネルまたは前記干渉しやすい周波数チャネルの範囲を考慮する、請求項１４〜２２のいずれか一項に記載の基地局（１０４）。
【請求項２４】
前記周波数情報（１４６）が、少なくとも２つの直接隣接または離間した周波数チャネルまたは周波数チャネルインデックスを含む、前記周波数帯域の周波数リソースのバンドリングを記述する、請求項１４〜２３のいずれか一項に記載の基地局（１０４）。
【請求項２５】
前記基地局（１０４）が、
−前記数値シーケンスジェネレータ（１３４）の前記状態（１４２）、または前記数値シーケンスジェネレータ（１３４）の前記状態（１４２）から導出された前記数値シーケンスの番号（１４２’）、または前記数値シーケンスの前記番号（１４３＿１、１４３＿２）、および
−前記通信システムの個々の情報（１０２）
の関数として疑似乱数Ｒを識別するように構成され、
前記疑似乱数Ｒが、前記チャネルアクセスパターン（１１０）を決定する、請求項１〜２４のいずれか一項に記載の基地局（１０４）。
【請求項２６】
前記基地局（１０４）が、前記疑似乱数Ｒに基づいて前記チャネルアクセスパターン（１１０）のリソース（１１２）を識別するように構成される、請求項２５に記載の基地局（１０４）。
【請求項２７】
前記信号（１２０）がビーコン信号である、請求項１〜２６のいずれか一項に記載の基地局（１０４）。
【請求項２８】
前記数値シーケンスジェネレータ（１３４）が、周期的数値シーケンスを生成するための周期的数値シーケンスジェネレータである、請求項１〜２７のいずれか一項に記載の基地局（１０４）。
【請求項２９】
前記数値シーケンスジェネレータ（１３４）が、疑似乱数数値シーケンスを生成するための決定論的乱数ジェネレータである、請求項１〜２８のいずれか一項に記載の基地局（１０４）。
【請求項３０】
前記数値シーケンスジェネレータの前記状態（１４２）が、周期的ビーコンインデックスおよび／または周期的タイムスロットインデックスであり、
または、前記数値シーケンスジェネレータ（１３４）の前記状態（１４２）から導出された番号（１４２’）が、周期的ビーコンインデックスおよび／または周期的タイムスロットインデックスである、請求項１〜２９のいずれか一項に記載の基地局（１０４）。
【請求項３１】
前記数値シーケンスの前記番号（１４３＿１、１４３＿２）が、周期的ビーコンインデックスおよび／または周期的タイムスロットインデックスである、請求項１〜３０のいずれか一項に記載の基地局（１０４）。
【請求項３２】
前記チャネルアクセスパターンによって定義される前記周波数帯域の占有が、別の通信システムによる前記周波数帯域の占有と少なくとも部分的にオーバーラップする、請求項１〜３１のいずれか一項に記載の基地局（１０４）。
【請求項３３】
通信システム（１０２）の端末点（１０６＿１）であって、前記通信システム（１０２）が、複数の通信システムによる通信に使用される周波数帯域において無線通信し、
前記端末点（１０６＿１）が、信号（１２０）を受信するように構成され、前記信号（１２０）が、チャネルアクセスパターン（１１０）に関する情報を含み、前記チャネルアクセスパターン（１１０）が、前記通信システム（１０２）の前記通信に使用可能な前記周波数帯域の周波数ホップベースおよび／または時間ホップベースの占有を示し、
前記端末点（１０６）が、前記チャネルアクセスパターン（１１０）に関する前記情報に基づいて前記チャネルアクセスパターン（１１０）を識別するように構成され、
前記情報が、数値シーケンスを生成するための数値シーケンスジェネレータ（１３４）の状態（１４２）を記述し、または前記情報が、数値シーケンスの番号（１４３＿１、１４３＿２）を記述し、前記数値シーケンスが、前記チャネルアクセスパターン（１１０）を決定する、端末点（１０６＿１）。
【請求項３４】
前記チャネルアクセスパターンが、前記複数の他の通信システムのうちの少なくとも１つの他の通信システムがそれに基づいて前記周波数帯域にアクセスする別のチャネルアクセスパターンとは異なる、請求項３３に記載の端末点（１０６＿１）。
【請求項３５】
前記端末点（１０６＿１）が、前記他の通信システムに対して非協調的に動作するように構成される、請求項３３〜３４のいずれか一項に記載の端末点（１０６＿１）。
【請求項３６】
前記端末点（１０６＿１）が、前記チャネルアクセスパターンまたはそのサブセットによって決定される前記リソースを使用することによって、前記通信システムの参加者と通信するように構成される、請求項３３〜３５のいずれか一項に記載の端末点（１０６＿１）。
【請求項３７】
前記端末点（１０６＿１）が、前記チャネルアクセスパターン（１１０）に関する前記情報を含む前記信号（１２０）を複数回受信するように構成され、
前記信号（１２０）の連続放出とともに転送される前記チャネルアクセスパターン（１１０）に関する前記情報が、前記数値シーケンスジェネレータ（１３４）の異なる状態（１４２）または前記数値シーケンスの異なる番号（１４３＿１，１４３＿２）を記述し、
前記端末点（１０６）が、前記チャネルアクセスパターン（１１０）に関する前記情報に基づいて前記チャネルアクセスパターン（１１０）を識別するように構成される、請求項３３〜３６のいずれか一項に記載の端末点（１０６＿１）。
【請求項３８】
前記信号（１２０）の放出とともに転送される前記情報が、前記数値シーケンスジェネレータ（１３４）の前記状態（１４２）または前記数値シーケンスの前記番号（１４３＿１、１４３＿２）ののサブセットのみを記述する、請求項３７に記載の端末点（１０６＿１）。
【請求項３９】
前記チャネルアクセスパターン（１１０）に関する前記情報が、前記数値シーケンスジェネレータ（１３４）の前記状態（１４２）またはそこから導出された情報であり、
または、前記チャネルアクセスパターン（１１０）に関する前記情報は、前記数値シーケンスの前記番号（１４３＿１、１４３＿２）またはそこから導出された情報である、請求項３３〜３８のいずれか一項に記載の端末点（１０６＿１）。
【請求項４０】
前記端末点（１０６＿１）が、前記数値シーケンスジェネレータ（１３４）の前記状態（１４２）または前記数値シーケンスジェネレータ（１３４）の前記状態（１４２）から導出された前記数値シーケンスの番号（１４２’）の関数として前記チャネルアクセスパターン（１１０）を識別するように構成される、請求項３３〜３９のいずれか一項に記載の端末点（１０６＿１）。
【請求項４１】
前記数値シーケンスジェネレータ（１３４）の状態（１４２）に続く前記数値シーケンスジェネレータ（１３４）の前記状態（１４２）が、前記数値シーケンスジェネレータ（１３４）の前記状態（１４２）に基づいて識別可能であり、
前記端末点（１０６＿１）が、前記数値シーケンスジェネレータ（１３４）の前記次の状態（１４２）またはそれから導出された前記数値シーケンスの次の番号（１４２’）の関数として前記チャネルアクセスパターン（１１０）を識別するように構成される、請求項３３〜４０のいずれか一項に記載の端末点（１０６＿１）。
【請求項４２】
前記端末点（１０６＿１）が、前記通信システム（１０２）の個々の情報の関数として前記チャネルアクセスパターン（１１０）を識別するように構成される、請求項３３〜４１のいずれか一項に記載の端末点（１０６＿１）。
【請求項４３】
前記通信システム（１０２）の前記個々の情報が、前記通信システム（１０２）の固有の情報である、請求項４２に記載の端末点（１０６＿１）。
【請求項４４】
前記通信システム（１０２）の前記固有の情報が、ネットワーク固有の識別子である、請求項４３に記載の端末点（１０６＿１）。
【請求項４５】
前記ネットワーク固有の識別子が、前記通信システム（１０２）の識別である、請求項４４に記載の端末点（１０６＿１）。
【請求項４６】
前記端末点（１０６＿１）が、マッピング関数を使用することにより、
−前記数値シーケンスジェネレータ（１３４）の前記状態（１４２）または前記数値シーケンスジェネレータ（１３４）の前記状態（１４２）から導出された前記数値シーケンスの番号（１４２’）、または前記数値シーケンスの前記番号（１４３＿１、１４３＿２）、および
前記通信システムの前記個々の情報（１０２）
を時間情報（１４８）および周波数情報（１４６）上にマッピングするように構成され、
前記時間情報（１４８）および前記周波数情報（１４６）が、前記チャネルアクセスパターン（１１０）のリソース（１１２）を記述する、請求項３３〜４５のいずれか一項に記載の端末点（１０６＿１）。
【請求項４７】
前記時間インデックス情報（１４８）が、タイムスロットまたはタイムスロットインデックスを記述する、請求項４６に記載の端末点（１０６＿１）。
【請求項４８】
前記時間情報（１４８）をマッピングするとき、前記マッピング関数が、前記通信システム（１０２）の活動率を考慮し、
前記活動率が、実行前に指定されるか、または前記信号（１２０）またはさらなる受信信号が、前記活動率に関する情報を含む、請求項４６〜４７のいずれかに記載の端末点（１０６＿１）。
【請求項４９】
前記時間情報（１４８）上にマッピングするとき、前記マッピング関数が、前記チャネルアクセスパターン（１１０）が異なる活動率の領域を含むように、前記通信システム（１０２）の異なる活動率を考慮し、
前記信号（１２０）または前記さらなる信号が、前記活動率に関する情報を含む、請求項４８に記載の端末点（１０６＿１）。
【請求項５０】
前記信号が前記通信システムの前記活動率に関する情報を含み、
または、前記端末点（１０６＿１）がさらなる信号を受信するように構成され、前記さらなる信号が前記通信システムの前記活動率に関する情報を含む、請求項４８〜４９のいずれかに記載の端末点（１０６＿１）。
【請求項５１】
前記時間情報（１４８）上にマッピングするとき、前記マッピング関数が、前記チャネルアクセスパターン（１１０）の連続するタイムスロットまたはタイムスロットインデックス間の指定された最小距離にしたがう、請求項４７〜５０のいずれかに記載の端末点（１０６＿１）。
【請求項５２】
前記周波数情報（１４６）が、周波数チャネルまたは周波数チャネルインデックスを記述する、請求項４６〜５１のいずれかに記載の端末点（１０６＿１）。
【請求項５３】
前記周波数情報（１４６）が、連続する周波数チャネル間の距離、または前記チャネルアクセスパターン（１１０）の周波数チャネルインデックスを記述する、請求項４６〜５１のいずれかに記載の端末点（１０６＿１）。
【請求項５４】
前記周波数情報（１４６）上にマッピングするとき、前記マッピング関数が、連続する周波数チャネル間の指定された最小距離または前記チャネルアクセスパターン（１１０）の周波数チャネルインデックスにしたがう、請求項５２〜５３のいずれか一項に記載の端末点（１０６＿１）。
【請求項５５】
前記周波数情報（１４６）上にマッピングする場合、干渉しやすい周波数チャネルまたは前記干渉しやすい周波数チャネルの範囲が、前記チャネルアクセスパターン（１１０）によって占有されていないかまたはより少なく占有されるように前記マッピング関数が、前記周波数帯域の前記干渉しやすい周波数チャネルまたは前記干渉しやすい周波数チャネルの範囲を考慮する、請求項４６〜５４のいずれかに記載の端末点（１０６＿１）。
【請求項５６】
前記周波数情報が、少なくとも２つの直接隣接または離間した周波数チャネルまたは周波数チャネルインデックスを記述する、請求項４１〜５０のいずれか一項に記載の端末点（１０６＿１）。
【請求項５７】
前記端末点（１０６＿１）が、
−前記数値シーケンスジェネレータ（１３４）の前記状態（１４２）、または前記数値シーケンスジェネレータ（１３４）の前記状態（１４２）から導出された前記数値シーケンスの番号（１４２’）、または前記数値シーケンスの前記番号（１４３＿１、１４３＿２）、および
−前記通信システムの個々の情報（１０２）
の関数として疑似乱数Ｒを識別するように構成され、
前記疑似乱数Ｒが、前記チャネルアクセスパターン（１１０）を決定する、請求項３３〜５６のいずれか一項に記載の端末点（１０６＿１）。
【請求項５８】
前記端末点（１０６＿１）が、前記疑似乱数Ｒに基づいて前記チャネルアクセスパターン（１１０）のリソース（１１２）を識別するように構成される、請求項５７に記載の端末点（１０６＿１）。
【請求項５９】
前記信号（１２０）がビーコン信号である、請求項の３３〜５８いずれか一項に記載の端末点（１０６＿１）。
【請求項６０】
前記数値シーケンスジェネレータ（１３４）が、周期的数値シーケンスを生成するための周期的数値シーケンスジェネレータである、請求項３３〜５９のいずれか一項に記載の端末点（１０６＿１）。
【請求項６１】
前記数値シーケンスジェネレータ（１３４）が、疑似乱数数値シーケンスを生成するための決定論的乱数ジェネレータである、請求項３３〜６０のいずれか一項に記載の端末点（１０６＿１）。
【請求項６２】
前記数値シーケンスジェネレータ（１３４）の前記状態（１４２）が、周期的ビーコンインデックスおよび／または周期的タイムスロットインデックスであり、
または、前記数値シーケンスジェネレータ（１３４）の前記状態（１４２）から導出された番号（１４２’）が、周期的ビーコンインデックスおよび／または周期的タイムスロットインデックスである、請求項３３〜６１のいずれか一項に記載の端末点（１０６＿１）。
【請求項６３】
前記数値シーケンスの前記番号（１４３＿１、１４３＿２）が、周期的ビーコンインデックスおよび／または周期的タイムスロットインデックスである、請求項３３〜６２のいずれか一項に記載の端末点（１０６＿１）。
【請求項６４】
前記チャネルアクセスパターンによって定義される前記周波数帯域の占有が、別の通信システムによる前記周波数帯域の占有と少なくとも部分的にオーバーラップする、請求項３３〜６３のいずれか一項に記載の端末点（１０６＿１）。
【請求項６５】
通信システム（１０２）であって、
請求項１〜３２のいずれか一項に記載の基地局（１０４）と、
請求項３３〜６４のいずれか一項に記載の少なくとも１つの端末点（１０６＿１）と、を備える、通信システム（１０２）。
【請求項６６】
通信システム（１０２）の基地局（１０４）を動作させる方法（２００）であって、
前記通信システム（１０２）が、複数の通信システムによる通信に使用される周波数帯域において無線通信し、前記方法が、
信号（１２０）を送信すること（２０２）を備え、前記信号（１２０）が、チャネルアクセスパターン（１１０）に関する情報を含み、前記チャネルアクセスパターン（１１０）が、前記通信システム（１０２）の前記通信に使用可能な前記周波数帯域の周波数ホップベースおよび／または時間ホップベースの占有を示し、
前記情報が、数値シーケンスを生成するための数値シーケンスジェネレータ（１３４）の状態（１４２）を記述し、または前記情報が、数値シーケンスの番号（１４３＿１、１４３＿２）を記述し、前記数値シーケンスが、前記チャネルアクセスパターンを決定する、方法（２００）。
【請求項６７】
通信システム（１０２）の端末点（１０６＿１）を動作させる方法（２１０）であって、前記通信システム（１０２）が、複数の通信システムによる通信に使用される周波数帯域において無線通信し、前記方法が、
信号（１２０）を受信すること（２１２）であって、前記信号（１２０）が、チャネルアクセスパターン（１１０）に関する情報を含み、前記チャネルアクセスパターン（１１０）が、前記通信システム（１０２）の前記通信に使用可能な前記周波数帯域の周波数ホップベースおよび／または時間ホップベースの占有を示すことと、
前記チャネルアクセスパターンに関する前記情報に基づいて前記チャネルアクセスパターン（１１０）を識別すること（２１４）と、
前記情報が、数値シーケンスを生成するための数値シーケンスジェネレータ（１３４）の状態（１４２）を記述し、または前記情報が、数値シーケンスの番号（１４３＿１、１４３＿２）を記述し、前記数値シーケンスが、前記チャネルアクセスパターンを決定する、方法（２１０）。
【請求項６８】
コンピュータプログラムがコンピュータまたはマイクロプロセッサ上で実行される場合、請求項６６〜６７のいずれか一項に記載の方法を実行するためのコンピュータプログラム。
【請求項６９】
通信システム（１０２）の参加者（１０４、１０６＿１）のためのコントローラ（１３０）であって、
前記通信システム（１０２）が、複数の通信システムによる通信に使用される周波数帯域において無線通信し、
前記コントローラ（１３０）が、チャネルアクセスパターン（１１０）を識別するように構成され、前記チャネルアクセスパターン（１１０）が、前記通信システムの前記通信に使用可能な前記周波数帯域の周波数ホップベースおよび／または時間ホップベースの占有を示し、
前記コントローラ（１３０）が、数値シーケンスまたは数値シーケンスの番号（１４３＿１、１４３＿２）を生成するための数値シーケンスジェネレータ（１３４）の状態（１４２）の関数として前記チャネルアクセスパターン（１１０）を識別するように構成される、コントローラ（１３０）。
【請求項７０】
前記コントローラ（１３０）が、前記数値シーケンスジェネレータ（１３４）の前記状態（１４２）または前記数値シーケンスジェネレータ（１３４）の前記状態（１４２）から導出された前記数値シーケンスの番号（１４２’）の関数として前記チャネルアクセスパターン（１１０）を識別するように構成される、請求項６９に記載のコントローラ（１３０）。
【請求項７１】
前記数値シーケンスジェネレータ（１３８）の状態（１４２）に続く前記数値シーケンスジェネレータ（１３８）の前記状態（１４２）が、前記数値シーケンスジェネレータ（１３８）の前記状態（１４２）に基づいて識別可能であり、
前記コントローラ（１３０）が、前記数値シーケンスジェネレータ（１３８）の前記次の状態（１４２）またはそれから導出された前記数値シーケンスの次の番号（１４２’）の関数として前記チャネルアクセスパターン（１１０）を識別するように構成される、請求項７０に記載のコントローラ（１３０）。
【請求項７２】
前記コントローラ（１３０）が、前記通信システム（１０２）の個々の情報の関数として前記チャネルアクセスパターン（１１０）を識別するように構成される、請求項６９〜７１のいずれか一項に記載のコントローラ（１３０）。
【請求項７３】
前記コントローラ（１３０）が、マッピング関数を使用することによって、
−前記数値シーケンスジェネレータ（１３４）の前記状態（１４２）または前記数値シーケンスジェネレータ（１３４）の前記状態（１４２）から導出された前記数値シーケンスの番号（１４２’）、または前記数値シーケンスの前記番号（１４３＿１、１４３＿２）、および
−前記通信システムの前記個々の情報（１０２）
を時間情報（１４８）および周波数情報（１４６）上にマッピングするように構成され、
前記時間情報（１４８）および前記周波数情報（１４６）が、前記チャネルアクセスパターン（１１０）のリソース（１１２）を記述する、請求項６９〜７２のいずれか一項に記載のコントローラ（１３０）。
【請求項７４】
前記コントローラ（１３０）が、
−前記数値シーケンスジェネレータ（１３４）の前記状態（１４２）、または前記数値シーケンスジェネレータ（１３４）の前記状態（１４２）から導出された前記数値シーケンスの番号（１４２’）、または前記数値シーケンスの前記番号（１４３＿１、１４３＿２）、および
−前記通信システムの個々の情報（１０２）
の関数として疑似乱数Ｒを識別するように構成され、
前記疑似乱数Ｒが、前記チャネルアクセスパターン（１１０）を決定する、請求項６９〜７３のいずれか一項に記載のコントローラ（１３０）。
【請求項７５】
前記コントローラ（１３０）が、前記疑似乱数Ｒに基づいて前記チャネルアクセスパターン（１１０）のリソース（１１２）を識別するように構成される、請求項７４に記載のコントローラ（１３０）。
【請求項７６】
チャネルアクセスパターンを生成する方法（３００）であって、
前記チャネルアクセスパターン（１１０）を生成すること（３０２）を備え、前記チャネルアクセスパターン（１１０）が、通信システム（１０２）の前記通信に使用可能な前記周波数帯域の周波数ホップベースおよび／または時間ホップベースの占有を示し、
前記通信システム（１０２）が、複数の通信システムによる通信に使用される周波数帯域において無線通信し、
前記チャネルアクセスパターン（１１０）が、数値シーケンスを生成するための数値シーケンスジェネレータ（１３４）の状態（１４２）または数値シーケンスの番号（１４３＿１、１４３＿２）の関数として生成される、方法（３００）。
【請求項７７】
コンピュータプログラムがコンピュータまたはマイクロプロセッサ上で実行される場合、請求項７６に記載の方法を実行するためのコンピュータプログラム。
【請求項７８】
通信システム（１０２＿１）であって、
前記通信システム（１０２＿１）が、複数の通信システム（１０２＿２、１０２＿３）による通信に使用される周波数帯域において無線通信するように構成され、
前記通信システム（１０２＿１）が、別の通信システム（１０２＿２、１０２＿３）によって使用されるかどうかに関係なく、チャネルアクセスパターン（１１０＿１）に基づいて、前記通信のために前記周波数帯域の異なる周波数または周波数チャネルを使用するように構成され、
前記チャネルアクセスパターン（１１０＿１）が、他の複数の通信システム（１０２＿２、１０２＿３）のうちの少なくとも１つの他の通信システム（１０２＿２）がそれに基づいて前記周波数帯域にアクセスする別のチャネルアクセスパターン（１１０＿２）とは異なる、通信システム（１０２＿１）。
【請求項７９】
前記チャネルアクセスパターン（１１０＿１）が、前記通信システム（１０２＿１）の前記通信に使用可能な前記周波数帯域の周波数ホップベースおよび／または時間ホップベースの占有を示す、請求項７８に記載の通信システム（１０２＿１）。
【請求項８０】
前記通信システム（１０２＿１）が、前記周波数帯域内の他の通信システム（１０２＿２、１０２＿３）に対して非協調的に通信するように構成される、請求項７９に記載の通信システム（１０２＿１）。
【請求項８１】
前記通信システム（１０２＿１）が、前記チャネルアクセスパターン（１１０＿１）を識別するように構成される、請求項７８〜８０のいずれか一項に記載の通信システム（１０２＿１）。
【請求項８２】
前記チャネルアクセスパターン（１１０＿１）が、前記通信システム（１０２＿１）の個々の情報に依存する、請求項７８〜８１のいずれか一項に記載の通信システム（１０２＿１）。
【請求項８３】
前記チャネルアクセスパターン（１１０＿１）および他のチャネルアクセスパターン（１１０＿２）が、そこで指定された前記リソースの２０％未満でオーバーラップする、請求項７８〜８２のいずれか一項に記載の通信システム（１０２＿１）。
【請求項８４】
前記通信システム（１０２＿１）の参加者（１０４、１０６＿１−１０６＿４）が、前記チャネルアクセスパターン（１１０＿１）に基づいて、周波数帯域の前記異なるチャネル内の部分ごとにそれらの間でデータを転送する、請求項７８〜８３のいずれか一項に記載の通信システム（１０２＿１）。
【請求項８５】
前記通信システム（１０２＿１）の参加者（１０４、１０６＿１−１０６＿４）の受信帯域幅が、前記周波数帯域の帯域幅よりも狭い、請求項７８〜８４のいずれか一項に記載の通信システム（１０２＿１）。
【請求項８６】
通信システム（１０２＿１）を動作させる方法（４００）であって、前記通信システム（１０２＿１）が、複数の通信システム（１０２＿２、１０２＿３）による通信に使用される周波数帯域において無線通信するように構成され、前記方法（４００）が、
参加者またはそのサブセットが別の通信システム（１０２＿２、１０２＿３）によって使用されるかどうかに関係なく、チャネルアクセスパターン（１１０＿１）に基づいて、前記周波数帯域の異なるチャネルの部分ごとに前記通信システム（１０２）の参加者（１０４、１０６＿１−１０６＿４）間でデータを転送すること（４０２）を備え、
前記チャネルアクセスパターン（１１０＿１）が、他の複数の通信システム（１０２＿２、１０２＿３）のうちの少なくとも１つの他の通信システム（１０２＿２）がそれに基づいて前記周波数帯域にアクセスする別のチャネルアクセスパターン（１１０＿２）とは異なる、方法（４００）。
【請求項８７】
コンピュータプログラムがコンピュータまたはマイクロプロセッサ上で実行される場合、請求項８６に記載の方法を実行するためのコンピュータプログラム。
【請求項８８】
通信構成（１００）であって、
第１の通信システム（１０２＿１）と、
第２の通信システム（１０２＿２）と、を備え、
前記第１の通信システム（１０２＿１）および前記第２の通信システム（１０２＿２）が、同じ周波数帯域において無線通信するように構成され、
前記第１の通信システム（１０２＿１）が、第１のチャネルアクセスパターン（１１０＿１）を使用することによって、それらまたはそのサブセットが別の通信システムによって使用されるかどうかに関係なく、前記通信のための前記周波数帯域の異なるチャネルを使用するように構成され、
前記第２の通信システム（１０２＿２）が、第２のチャネルアクセスパターン（１１０＿２）を使用することによって、それらまたはそのサブセットが別の通信システムによって使用されるかどうかに関係なく、前記通信のための前記周波数帯域の異なるチャネルを使用するように構成され、
前記第１のチャネルアクセスパターン（１１０＿１）および前記第２のチャネルアクセスパターン（１１０＿２）が異なる、通信構成（１００）。
【請求項８９】
前記第１の通信システム（１０２＿１）および前記第２の通信システム（１０２＿２）が相互に調整されていない、請求項８８に記載の通信構成（１００）。
【請求項９０】
前記第１の通信システム（１０２＿１）の参加者（１０４＿１、１０６＿１−１０６＿４）が、前記周波数帯域の前記異なるチャネルにおける部分ごとの前記第１のチャネルアクセスパターン（１１０＿１）に基づいて、それらの間でデータを転送し、
前記第２の通信システム（１０２＿２）の参加者（１０４＿２、１０６＿５−１０６＿８）が、前記周波数帯域の前記異なるチャネルにおける部分ごとの前記第２のチャネルアクセスパターン（１１０＿２）に基づいて、それらの間でデータを転送する、請求項８９に記載の通信構成（１００）。
【請求項９１】
前記第１の通信システム（１０２＿１）および前記第２の通信システム（１０２＿２）が互いに通信しない、請求項８８〜９０のいずれか一項に記載の通信構成（１００）。
【請求項９２】
複数の通信システムによる無線通信に使用される周波数帯域において２つの通信システム（１０２＿１、１０２＿２）を動作させる方法（５００）であって、
それらまたはそのサブセットが別の通信システムによって使用されるかどうかに関係なく、前記通信の前記周波数帯域の異なるチャネルにおける部分ごとの第１のチャネルアクセスパターン（１１０＿１）に基づいて、前記第１の通信システム（１０２＿１）の参加者（１０４＿１、１０６＿１−１０６＿４）間でデータを転送すること（５０２）と、
それらまたはそのサブセットが別の通信システムによって使用されるかどうかに関係なく、前記通信の前記周波数帯域の異なるチャネルにおける部分ごとの第２のチャネルアクセスパターン（１１０＿２）に基づいて、前記第２の通信システム（１０２＿２）の参加者（１０４＿２、１０６＿５−１０６＿８）間でデータを転送すること（５０４）と、を備え、
前記第１のチャネルアクセスパターン（１１０＿１）および前記第２のチャネルアクセスパターン（１１０＿２）が異なる、方法（５００）。
【請求項９３】
コンピュータプログラムがコンピュータまたはマイクロプロセッサ上で実行される場合、請求項９２に記載の方法を実行するためのコンピュータプログラム。
【発明の詳細な説明】
【技術分野】
【０００１】
本発明の実施形態は、通信システムの参加者のためのコントローラ、通信システムの基地局、通信システムの端末点、および通信システムに関し、通信システムは、複数の通信システムによる通信に使用される周波数帯域において無線通信する。いくつかの実施形態は、相互に調整されていないネットワークのためのチャネルアクセスパターンの生成に関する。
【背景技術】
【０００２】
複数の通信システムによる通信に使用される周波数帯域における通信システムの参加者間の無線通信では、他の通信システムの外乱信号による干渉（＝他の通信システムの参加者間の通信）の回避が必要である。
【０００３】
干渉を回避するための一般的な方法
自身の無線ネットワーク（または通信システム）内の参加者の妨害は、多くの場合、（例えば、基地局によって行われる）無線リソースの調整された競合のない割り当てによって回避される。例えば、これは、モバイル無線規格ＧＳＭ、ＵＭＴＳ、およびＬＴＥで行われ、（初期ネットワークログオンフェーズ以外で）同じネットワーク内の無線参加者の衝突は、いわゆる「スケジューリング」によって完全に回避されることができる。
【０００４】
自身のネットワーク外の無線参加者による妨害は、多くの場合、適切な無線ネットワーク計画によって軽減される。この場合、利用可能な周波数帯域全体からの特定の使用可能な周波数範囲（おそらく複数の周波数チャネルで構成される）が各ネットワークに割り当てられる。隣接するネットワークは、異なる周波数範囲を使用し、これは、隣接するネットワークの参加者間に直接的な障害がない理由である。結局、この方法は、ネットワーク間の一種の調整も表す。
【０００５】
個々のネットワークへの周波数範囲または無線チャネルのそのような指定された割り当てが不可能または実行不可能である場合（例えば、ライセンスされていない周波数帯域でよくあることであるが）、ネットワークは、例えば、未使用の周波数範囲を決定することができ、または、使用率測定によって指定された周波数範囲のセットから最も使用されていないものを決定し、それを占有し、もしくはそれに切り替える。
【０００６】
ＴＳＭＡ法を使用する際の干渉の回避
さらなるケースは、いわゆるテレグラム分割多元接続（ＴＳＭＡ）法［１］によるメッセージ（データパケット）の送信である。ここで、ネットワークによって使用可能な周波数範囲は、指定された数の周波数チャネルに分割され、データパケットは、通常、異なる時点で異なる周波数チャネルで送信される複数の部分データパケットに分割されて転送される。この場合、例えば、［２］に示すように、部分データパケットの転送に使用されるホッピングパターン（または時間／周波数ホッピングパターン）が特に重要な役割を果たす。ネットワークの特に高い利用率は、可能な限り多くの異なるホッピングパターンがあり、それらの中に可能な限り少ない短いオーバーラップシーケンスのみを含む場合に達成されることができる。それらの間のいくつかのネットワークの干渉を減らすために、ネットワークは、互いに対して異なるホッピングパターンを使用することができる。これらのネットワーク固有のホッピングパターンは、それぞれのネットワークの全ての参加者に知られている必要がある。さらにまた、異なるネットワークの参加者の部分データパケット間の体系的な衝突を回避するために、ホッピングパターンは、上述したように、互いに関して短いオーバーラップシーケンスのみを有することが望ましい。
【０００７】
相互に調整されたネットワークでは、受信範囲内の他のネットワークのホッピングパターンとできるだけオーバーラップしない個別のホッピングパターンを各ネットワークに割り当てることができる。利用可能な全てのホッピングパターンの全体を（ホッピングパターンの）セットとして表にすることができ、そこからネットワーク全体の調整インスタンスが１つの／いくつかの個別のホッピングパターンを各ネットワークに割り当てる。適切なホッピングパターンのセットの計算は、適切な最適化基準にしたがって事前に行うことができる。
【０００８】
ネットワークが相互に調整されておらず、時間的および周波数領域で同期されていない可能性もある場合は、原則として上記の方法（表形式の事前計算されたホッピングパターン）を適用することができるが、２つのネットワークがランダムに同じホッピングパターンを使用するリスクがある。２つの（相互に影響を与える）ネットワークが同じホッピングパターンを使用する確率を実行可能な範囲まで減らすには、特に多くのネットワークがあるシナリオでは、非常に多くの利用可能なホッピングパターンが存在する必要がある。
【発明の概要】
【発明が解決しようとする課題】
【０００９】
したがって、本発明の目的は、複数の相互に調整されていない通信システムが同じ周波数帯域を無線通信に使用する場合に、転送の信頼性を高める概念を提供することである。
【課題を解決するための手段】
【００１０】
この目的は、独立請求項によって解決される。
有利なさらなる開発は、従属請求項に見出すことができる。
【００１１】
実施形態は、通信システムの基地局であって、通信システムが、複数の通信システムによる通信に使用される周波数帯域［例えば、ライセンスフリーおよび／または許可フリーの周波数帯域；例えば、ＩＳＭ帯域］において無線通信し、基地局が、信号［例えば、ビーコン信号］を送信するように構成され、信号が、チャネルアクセスパターンに関する情報を含み、チャネルアクセスパターンが、通信システムの通信に使用可能な周波数帯域の［例えば、リソースの］周波数ホップベースおよび／または時間ホップベースの占有［例えば、通信システムの通信に使用可能な周波数リソースの時間的シーケンス（例えば、周波数帯域全体に分散されている）］を示し、情報が、数値シーケンスを生成するための数値シーケンスジェネレータ［例えば、周期的数値シーケンスジェネレータまたは決定論的乱数ジェネレータ］の状態を記述し、または情報が、数値シーケンス［例えば、周期的タイムスロットインデックスシーケンスおよび／または周期的ビーコンインデックスシーケンス］の番号［例えば、タイムスロットインデックスおよび／またはビーコンインデックス］を記述し、数値シーケンスがチャネルアクセスパターンを決定する、基地局を提供する。
【００１２】
実施形態では、チャネルアクセスパターンは、複数の他の通信システムのうちの少なくとも１つの他の通信システムが周波数帯域にアクセスすることに基づいて、別のチャネルアクセスパターンとは異なることができる。
【００１３】
実施形態では、基地局は、他の通信システムに関して非協調的に動作するように構成されることができる。
【００１４】
実施形態では、基地局は、チャネルアクセスパターンまたはそのサブセットによって決定されるリソースを使用することによって、通信システムの参加者と通信するように構成されることができる。
【００１５】
実施形態では、基地局は、チャネルアクセスパターンに関する情報を含む信号を複数回［例えば、定期的に］放出するように構成されることができ、信号の連続的な放出によって転送されたチャネルアクセスパターンに関する情報は、数値シーケンスジェネレータの異なる［例えば、連続または即時連続］状態または数値シーケンスの異なる番号を記述する。
【００１６】
実施形態では、信号の放出とともに転送される情報は、数値シーケンスジェネレータの状態のサブセットまたは数値シーケンスの番号のサブセットのみを記述することができる［例えば、ｎ番目ごとの状態またはｎ番目ごとのインデックス番号のみが転送され、ｎは２以上の自然数である］。
【００１７】
実施形態では、チャネルアクセスパターンに関する情報は、数値シーケンスジェネレータの状態またはそこから導出された情報［例えば、数値シーケンスジェネレータの状態の一部（例えば、数値シーケンスジェネレータの状態のＬＳＢ）］とすることができる。
【００１８】
実施形態では、チャネルアクセスパターンに関する情報は、数値シーケンスの番号またはそこから導出された情報［例えば、数値シーケンスの状態の一部（例えば、数値シーケンスの番号のＬＳＢ）］とすることができる。
【００１９】
実施形態では、基地局は、数値シーケンスジェネレータの状態または数値シーケンスジェネレータの状態から導出されたいくつかの数値シーケンスの関数としてチャネルアクセスパターンを識別するように構成されることができる。
【００２０】
実施形態では、数値シーケンスジェネレータの状態に［例えば、直接］続く数値シーケンスジェネレータの状態は、数値シーケンスジェネレータの状態に基づいて識別可能とすることができ、基地局は、数値シーケンスジェネレータの次の状態またはそこから導出された数値シーケンスの次の番号の関数としてチャネルアクセスパターンを識別するように構成されることができる。
【００２１】
実施形態では、基地局は、通信システムの個々の情報［例えば、ネットワーク固有の識別子などの通信システムの固有情報］の関数としてチャネルアクセスパターンを識別するように構成されることができる。
【００２２】
実施形態では、通信システムの個々の情報は、通信システムの固有の情報とすることができる。
【００２３】
実施形態では、通信システムの固有の情報は、ネットワーク固有の識別子とすることができる。
【００２４】
実施形態では、ネットワーク固有の識別子は、通信システムの識別とすることができる。
【００２５】
実施形態では、基地局は、マッピング関数を使用することによって、
−数値シーケンスジェネレータの状態または数値シーケンスジェネレータの状態から導出された数値シーケンスの番号、または数値シーケンスの番号、および
−通信システムの個々の情報
を時間情報および周波数情報上にマッピングするように構成されることができ、時間情報および周波数情報は、チャネルアクセスパターンのリソースを記述する。
【００２６】
実施形態では、時間インデックス情報は、タイムスロットまたはタイムスロットインデックスを記述することができる。
【００２７】
実施形態では、時間情報をマッピングするとき、マッピング関数は、通信システムの活動率を考慮することができ、活動率は、実行前に指定され、または基地局によって送信される信号またはさらなる信号は、活動率に関する情報を含む。
【００２８】
実施形態では、時間情報上にマッピングする場合、マッピング関数は、チャネルアクセスパターンが異なる活動率の領域を含むように、通信システムの異なる活動率を考慮することができ、信号またはさらなる信号は、活動率に関する情報を含む。
【００２９】
実施形態では、基地局は、通信システムの現在のまたは予測される利用状況の関数として活動率を動的に適応させるように構成されることができる。
【００３０】
実施形態では、時間情報上にマッピングする場合、マッピング関数は、チャネルアクセスパターンの［例えば、直接］連続するタイムスロットまたはタイムスロットインデックス間の［例えば、１つまたは複数のタイムスロットまたはタイムスロットインデックスの］指定された最小距離にしたがうことができる。
【００３１】
実施形態では、周波数情報は、周波数チャネルまたは周波数チャネルインデックスを記述することができる。
【００３２】
実施形態では、周波数情報は、チャネルアクセスパターンの［例えば、直接］連続する周波数チャネルまたは周波数チャネルインデックス間の距離を記述することができる。
【００３３】
実施形態では、周波数情報上にマッピングする場合、マッピング関数は、チャネルアクセスパターンの［例えば、直接］連続する周波数チャネルまたは周波数チャネルインデックス間の指定された最小距離にしたがうことができる。
【００３４】
実施形態では、周波数情報上にマッピングする場合、マッピング関数は、干渉しやすい周波数チャネルまたは干渉しやすい周波数チャネルの範囲がチャネルアクセスパターンによって占有されないかまたはより少なく占有されるように、周波数帯域の干渉しやすい周波数チャネルまたは干渉しやすい周波数チャネルの範囲を考慮することができる。
【００３５】
実施形態では、周波数情報は、少なくとも２つの直接隣接または離間した周波数チャネルまたは周波数チャネルインデックスを含む、周波数帯域の周波数リソースのバンドリングを記述することができる。
【００３６】
実施形態では、基地局は、以下の関数として疑似乱数Ｒを識別するように構成されることができる：
−数値シーケンスジェネレータの状態、または数値シーケンスジェネレータの状態から導出された数値シーケンスの番号、または数値シーケンスの番号、および
−通信システムの個々の情報、ここで、疑似乱数Ｒはチャネルアクセスパターンを決定する。
【００３７】
実施形態では、基地局は、疑似乱数Ｒに基づいてチャネルアクセスパターンのリソース［例えば、周波数チャネルおよび／またはタイムスロット、または周波数チャネルインデックスおよび／またはタイムスロットインデックス］を識別するように構成されることができる。
【００３８】
実施形態では、信号はビーコン信号とすることができる。
【００３９】
実施形態では、数値シーケンスジェネレータは、周期的数値シーケンスを生成するための周期的数値シーケンスジェネレータとすることができる。
【００４０】
実施形態では、数値シーケンスジェネレータは、疑似乱数数値シーケンスを生成するための決定論的乱数ジェネレータとすることができる。
【００４１】
実施形態では、数値シーケンスジェネレータの状態は、周期的ビーコンインデックスおよび／または周期的タイムスロットインデックスとすることができる。
【００４２】
実施形態では、数値シーケンスジェネレータの状態から導出される番号は、周期的ビーコンインデックスおよび／または周期的タイムスロットインデックスとすることができる。
【００４３】
実施形態では、数値シーケンスの番号は、周期的ビーコンインデックスおよび／または周期的タイムスロットインデックスとすることができる。
【００４４】
実施形態では、チャネルアクセスパターンによって定義される周波数帯域の占有は、別の通信システムによる周波数帯域の占有と少なくとも部分的にオーバーラップすることができる。
【００４５】
さらなる実施形態は、通信システムの端末点であって、通信システムが、複数の通信システムによる通信に使用される周波数帯域［例えば、ライセンスフリーおよび／または許可フリーの周波数帯域；例えば、ＩＳＭ帯域］において無線通信し、端末点が、信号［例えば、ビーコン信号］を受信するように構成され、信号が、チャネルアクセスパターンに関する情報を含み、チャネルアクセスパターンが、通信システムの通信に使用可能な周波数帯域の［例えば、リソースの］周波数ホップベースおよび／または時間ホップベースの占有［例えば、通信システムの通信に使用可能な周波数リソースの時間的シーケンス（例えば、周波数帯域全体に分散されている）］を示し、端末点が、チャネルアクセスパターンに関する情報に基づいてチャネルアクセスパターンを識別するように構成され、情報が、数値シーケンスを生成するための数値シーケンスジェネレータ［例えば、周期的数値シーケンスジェネレータまたは決定論的乱数ジェネレータ］の状態を記述し、または情報が、数値シーケンス［例えば、周期的タイムスロットインデックスシーケンスおよび／または周期的ビーコンインデックスシーケンス］の番号［例えば、タイムスロットインデックスおよび／またはビーコンインデックス］を記述し、数値シーケンスがチャネルアクセスパターンを決定する、端末点を提供する。
【００４６】
実施形態では、チャネルアクセスパターンは、複数の他の通信システムのうちの少なくとも１つの他の通信システムが周波数帯域にアクセスすることに基づいて、別のチャネルアクセスパターンとは異なることができる。
【００４７】
実施形態では、端末点は、他の通信システムに関して非協調的に動作するように構成されることができる。
【００４８】
実施形態では、端末点は、チャネルアクセスパターンまたはそのサブセットによって決定されるリソースを使用することによって、通信システムの参加者と通信するように構成されることができる。
【００４９】
実施形態では、端末点は、チャネルアクセスパターンに関する情報を含む信号を複数回［例えば、定期的に］受信するように構成されることができ、信号の連続的な放出で転送されたチャネルアクセスパターンに関する情報は、異なる、数値シーケンスジェネレータの［例えば、連続または即時連続］状態、または数値シーケンスの異なる番号を記述し、端末点は、チャネルアクセスパターンに関する情報に基づいて［例えば、数値シーケンスジェネレータの異なる状態または数値シーケンスの異なる番号に基づいて］チャネルアクセスパターンを識別するように構成されることができる。
【００５０】
実施形態では、信号の放出とともに転送される情報は、数値シーケンスジェネレータの状態のサブセットまたは数値シーケンスの番号のサブセットのみを記述することができる［例えば、ｎ番目ごとの状態またはｎ番目ごとのインデックス番号のみが転送され、ｎは２以上の自然数である］。
【００５１】
実施形態では、チャネルアクセスパターンに関する情報は、数値シーケンスジェネレータの状態またはそこから導出された情報［例えば、数値シーケンスジェネレータの状態の一部（例えば、数値シーケンスジェネレータの状態のＬＳＢ）］とすることができる。
【００５２】
実施形態では、チャネルアクセスパターンに関する情報は、数値シーケンスの番号またはそこから導出された情報［例えば、数値シーケンスの状態の一部（例えば、数値シーケンスの番号のＬＳＢ）］とすることができる。
【００５３】
実施形態では、端末点は、数値シーケンスジェネレータの状態または数値シーケンスジェネレータの状態から導出されたいくつかの数値シーケンスの関数としてチャネルアクセスパターンを識別するように構成されることができる。
【００５４】
実施形態では、数値シーケンスジェネレータの状態に［例えば、直接］続く数値シーケンスジェネレータの状態は、数値シーケンスジェネレータの状態に基づいて識別可能とすることができ、端末点は、数値シーケンスジェネレータの次の状態またはそこから導出された数値シーケンスの次の番号の関数としてチャネルアクセスパターンを識別するように構成されることができる。
【００５５】
実施形態では、端末点は、通信システムの個々の情報の関数［例えば、ネットワーク固有の識別子などの通信システムの固有情報］としてチャネルアクセスパターンを識別するように構成されることができる。
【００５６】
実施形態では、通信システムの個々の情報は、通信システムの固有の情報とすることができる。
【００５７】
実施形態では、通信システムの固有の情報は、ネットワーク固有の識別子とすることができる。
【００５８】
実施形態では、ネットワーク固有の識別子は、通信システムの識別とすることができる。
【００５９】
実施形態では、端末点は、マッピング関数を使用することによって、
−数値シーケンスジェネレータの状態または数値シーケンスジェネレータの状態から導出された数値シーケンスの番号、または数値シーケンスの番号、および
−通信システムの個々の情報
を時間情報および周波数情報上にマッピングするように構成されることができ、時間情報および周波数情報がチャネルアクセスパターンのリソースを記述する。
【００６０】
実施形態では、時間インデックス情報は、タイムスロットまたはタイムスロットインデックスを記述することができる。
【００６１】
実施形態では、時間情報をマッピングするとき、マッピング関数は、通信システムの活動率を考慮することができ、活動率は、実行前に指定され、または信号またはさらに受信された信号は、活動率に関する情報を含む。
【００６２】
実施形態では、時間情報上にマッピングする場合、マッピング関数は、チャネルアクセスパターンが異なる活動率の領域を含むように、通信システムの異なる活動率を考慮することができ、信号またはさらなる信号は、活動率に関する情報を含む。
【００６３】
実施形態では、信号は、通信システムの活動率に関する情報を含む。
【００６４】
実施形態では、端末点は、さらなる信号を受信するように構成されることができ、さらなる信号は、通信システムの活動率に関する情報を含む。
【００６５】
実施形態では、時間情報上にマッピングする場合、マッピング関数は、チャネルアクセスパターンの［例えば、直接］連続するタイムスロットまたはタイムスロットインデックス間の［例えば、１つまたは複数のタイムスロットまたはタイムスロットインデックスの］指定された最小距離にしたがうことができる。
【００６６】
実施形態では、周波数情報は、周波数チャネルまたは周波数チャネルインデックスを記述することができる。
【００６７】
実施形態では、周波数情報は、チャネルアクセスパターンの［例えば、直接］連続する周波数チャネルまたは周波数チャネルインデックス間の距離を記述することができる。
【００６８】
実施形態では、周波数情報上にマッピングする場合、マッピング関数は、チャネルアクセスパターンの［例えば、直接］連続する周波数チャネルまたは周波数チャネルインデックス間の指定された最小距離にしたがうことができる。
【００６９】
実施形態では、周波数情報上にマッピングする場合、マッピング関数は、干渉しやすい周波数チャネルまたは干渉しやすい周波数チャネルの範囲がチャネルアクセスパターンによって占有されないかまたはより少なく占有されるように、周波数帯域の干渉しやすい周波数チャネルまたは干渉しやすい周波数チャネルの範囲を考慮することができる。
【００７０】
実施形態では、周波数情報は、少なくとも２つの直接隣接または離間した周波数チャネルまたは周波数チャネルインデックスを記述することができる。
【００７１】
実施形態では、端末点は、以下の関数として疑似乱数Ｒを識別するように構成されることができる：
−数値シーケンスジェネレータの状態、または数値シーケンスジェネレータの状態から導出された数値シーケンスの番号、または数値シーケンスの番号、および
−通信システムの個々の情報、
ここで、疑似乱数Ｒはチャネルアクセスパターンを決定する。
【００７２】
実施形態では、端末点は、疑似乱数Ｒに基づいてチャネルアクセスパターンのリソース［例えば、周波数チャネルおよび／またはタイムスロット、または周波数チャネルインデックスおよび／またはタイムスロットインデックス］を識別するように構成されることができる。
【００７３】
実施形態では、信号はビーコン信号とすることができる。
【００７４】
実施形態では、数値シーケンスジェネレータは、周期的数値シーケンスを生成するための周期的数値シーケンスジェネレータとすることができる。
【００７５】
実施形態では、数値シーケンスジェネレータは、疑似乱数数値シーケンスを生成するための決定論的乱数ジェネレータとすることができる。
【００７６】
実施形態では、数値シーケンスジェネレータの状態は、周期的ビーコンインデックスおよび／または周期的タイムスロットインデックスとすることができる。
【００７７】
実施形態では、数値シーケンスジェネレータの状態から導出される番号は、周期的ビーコンインデックスおよび／または周期的タイムスロットインデックスとすることができる。
【００７８】
実施形態では、数値シーケンスの番号は、周期的ビーコンインデックスおよび／または周期的タイムスロットインデックスとすることができる。
【００７９】
実施形態では、チャネルアクセスパターンによって定義される周波数帯域の占有は、別の通信システムによる周波数帯域の占有と少なくとも部分的にオーバーラップすることができる。
【００８０】
さらなる実施形態は、上記の基地局のうちの１つおよび上記の端末点のうちの少なくとも１つを有する通信システムを提供する。
【００８１】
さらなる実施形態は、通信システムの基地局を動作させるための方法であって、通信システムが、複数の通信システムによる通信に使用される周波数帯域において無線通信する方法を提供する。この方法は、信号を送信するステップを含み、信号が、チャネルアクセスパターンに関する情報を含み、チャネルアクセスパターンが、通信システムの通信に使用可能な周波数帯域の周波数ホップベースおよび／またはタイムホップベースの占有を示し、情報が、数値シーケンスを生成するための数値シーケンスジェネレータの状態を記述し、または情報が、数値シーケンスの番号を記述し、数値シーケンスがチャネルアクセスパターンを決定する。
【００８２】
さらなる実施形態は、通信システムの端末点を動作させるための方法であって、通信システムが、複数の通信システムによる通信に使用される周波数帯域において無線通信する方法を提供する。この方法は、信号を受信するステップを含み、信号が、チャネルアクセスパターンに関する情報を含み、チャネルアクセスパターンが、通信システムの通信に使用可能な周波数帯域の周波数ホップベースおよび／またはタイムホップベースの占有を示す。さらに、この方法は、チャネルアクセスパターンに関する情報に基づいてチャネルアクセスパターンを識別するステップを含み、情報が、数値シーケンスを生成するための数値シーケンスジェネレータの状態を記述し、または情報が、数値シーケンスの番号を記述し、数値シーケンスがチャネルアクセスパターンを決定する。
【００８３】
さらなる実施形態は、通信システムの参加者のためのコントローラであって、通信システムが、複数の通信システムによる通信に使用される周波数帯域において無線通信し、コントローラが、チャネルアクセスパターンを識別するように構成され、チャネルアクセスパターンが、通信システムの通信に使用可能な周波数帯域の周波数ホップベースおよび／または時間ホップベースの占有を示し、コントローラが、数値シーケンスまたは数値シーケンスの番号を生成するための数値シーケンスジェネレータの状態の関数としてチャネルアクセスパターンを識別するように構成される、コントローラを提供する。
【００８４】
実施形態では、コントローラは、数値シーケンスジェネレータの状態、または数値シーケンスジェネレータの状態から導出されたいくつかの数値シーケンスの関数としてチャネルアクセスパターンを識別するように構成されることができる。
【００８５】
実施形態では、数値シーケンスジェネレータの状態に［例えば、直接］続く数値シーケンスジェネレータの状態は、数値シーケンスジェネレータの状態に基づいて識別可能とすることができ、コントローラは、数値シーケンスジェネレータの次の状態、またはそこから導出された数値シーケンスの次の番号の関数としてチャネルアクセスパターンを識別するように構成されることができる。
【００８６】
実施形態では、コントローラは、通信システムの個々の情報［例えば、ネットワーク固有の識別子などの通信システムの固有情報］の関数としてチャネルアクセスパターンを識別するように構成されることができる。
【００８７】
実施形態では、コントローラは、マッピング関数を使用することによって、
−数値シーケンスジェネレータの状態または数値シーケンスジェネレータの状態から導出された数値シーケンスの番号、または数値シーケンスの番号、および
−通信システムの個々の情報
を時間情報および周波数情報上にマッピングするように構成されることができ、時間情報および周波数情報は、チャネルアクセスパターンのリソースを記述する。
【００８８】
実施形態では、コントローラは、以下の関数として疑似乱数Ｒを識別するように構成されることができる：
−数値シーケンスジェネレータの状態、または数値シーケンスジェネレータの状態から導出された数値シーケンスの番号、または数値シーケンスの番号、および
−通信システムの個々の情報、
ここで、疑似乱数Ｒはチャネルアクセスパターンを決定する。
【００８９】
実施形態では、コントローラは、疑似乱数Ｒに基づいてチャネルアクセスパターンのリソース［例えば、周波数チャネルおよび／またはタイムスロット、または周波数チャネルインデックスおよび／またはタイムスロットインデックス］を識別するように構成されることができる。
【００９０】
さらなる実施形態は、チャネルアクセスパターンを生成する方法を提供する。この方法は、チャネルアクセスパターンを生成するステップを含み、チャネルアクセスパターンが、通信システムの通信に使用可能な周波数帯域の周波数ホップベースおよび／または時間ホップベースの占有を示し、通信システムが、複数の通信システムによる通信に使用される周波数帯域において無線通信し、チャネルアクセスパターンが、数値シーケンスまたは数値シーケンスの番号を生成するための数値シーケンスジェネレータの状態の関数として生成される。
【００９１】
さらなる実施形態は、通信システムであって、通信システムが、複数の通信システムによる通信に使用される周波数帯域［例えば、ライセンスフリーおよび／または許可フリーの周波数帯域；例えば、ＩＳＭ帯域］において無線通信するように構成され、通信システムが、それらが別の通信システムによって使用されるかどうかに関係なく、チャネルアクセスパターンに基づく通信のために部分ごとに［例えば、タイムスロットごとに］［例えば、周波数帯域が分割される］周波数帯域の異なる周波数または周波数チャネルを使用するように構成され、チャネルアクセスパターンが、複数の他の通信システムのうちの少なくとも１つの他の通信システムがそれに基づいて周波数帯域にアクセスする別のチャネルアクセスパターンとは異なる、通信システムを提供する。
【００９２】
実施形態では、チャネルアクセスパターンは、通信システムの通信に使用可能な周波数帯域［例えば、通信システムの通信に使用可能な（例えば、周波数帯域全体に分散された）周波数リソースの時間的シーケンス］の［例えば、リソースの］周波数ホップベースおよび／または時間ホップベースの占有を示すことができる。
【００９３】
実施形態では、通信システムは、周波数帯域内の他の通信システムに関して非協調的に通信するように構成されることができる。
【００９４】
実施形態では、通信システムは、チャネルアクセスパターンを識別するように構成されることができる。
【００９５】
実施形態では、チャネルアクセスパターンは、通信システムの個々の［例えば、本質的な］情報に依存することができる。
【００９６】
実施形態では、チャネルアクセスパターンおよび他のチャネルアクセスパターンは、そこで指定されたリソースの２０％未満でオーバーラップすることができる。
【００９７】
実施形態では、通信システムの参加者は、チャネルアクセスパターンに基づいて、周波数帯域の異なるチャネル内の部分ごとに自分たちの間でデータを転送することができる。
【００９８】
実施形態では、通信システムの参加者の受信帯域幅は、周波数帯域の帯域幅よりも狭くてもよい。
【００９９】
さらなる実施形態は、通信システムを動作させるための方法であって、通信システムが、複数の通信システムによる通信に使用される周波数帯域［例えば、ライセンスフリーおよび／または許可フリーの周波数帯域；例えば、ＩＳＭ帯域］において無線通信するように構成される、方法を提供する。この方法は、通信システムの参加者またはそのサブセットが別の通信システムによって使用されるかどうかに関係なく、チャネルアクセスパターンに基づいて、周波数帯域の異なるチャネルの部分ごとに通信システムの参加者間でデータを転送するステップを含み、チャネルアクセスパターンは、複数の他の通信システムのうちの少なくとも１つの他の通信システムがそれに基づいて周波数帯域にアクセスする他のチャネルアクセスパターンとは異なる。
【０１００】
さらなる実施形態は、第１の通信システムと、第２の通信システムとを有する通信構成であって、第１の通信システムおよび第２の通信システムが、［例えば、複数の通信システムによる通信に使用される］同じ周波数帯域［例えば、ライセンスフリーおよび／または許可フリーの周波数帯域；例えばＩＳＭ帯域］において無線通信するように構成され、第１の通信システムが、第１のチャネルアクセスパターンを使用することによって、それらまたはそのサブセットが別の通信システムによって使用されるかどうかに関係なく、通信のための部分ごとに［例えば、タイムスロットごとに］［例えば、周波数帯域が分割される］周波数帯域の異なるチャネルを使用するように構成され、第２の通信システムが、第２のチャネルアクセスパターンを使用することによって、それらまたはそのサブセットが別の通信システムによって使用されるかどうかに関係なく、通信のための部分ごとに［例えば、タイムスロットごとに］［例えば、周波数帯域が分割される］周波数帯域の異なるチャネルを使用するように構成され、第１のチャネルアクセスパターンおよび第２のチャネルアクセスパターンが異なる、通信構成を提供する。
【０１０１】
実施形態では、第１の通信システムおよび第２の通信システムは、相互に調整されなくてもよい。
【０１０２】
実施形態では、第１の通信システムの参加者は、周波数帯域の異なるチャネルにおける部分ごとの第１のチャネルアクセスパターンに基づいて、それらの間でデータを転送することができる。
【０１０３】
実施形態では、第２の通信システムの参加者は、周波数帯域の異なるチャネルにおける部分ごとの第２のチャネルアクセスパターンに基づいて、それらの間でデータを転送することができる。
【０１０４】
実施形態では、第１の通信システムおよび第２の通信システムは、互いに通信しなくてもよい。
【０１０５】
さらなる実施形態は、複数の通信システムによる無線通信に使用される周波数帯域において２つの通信システムを動作させる方法を提供する。この方法は、第１の通信システムの参加者またはそのサブセットが別の通信システムによって使用されるかどうかに関係なく、周波数帯域の異なるチャネルにおける部分ごとの第１のチャネルアクセスパターンに基づいて第１の通信システムの参加者間でデータを転送するステップを含む。さらに、この方法は、第２の通信システムの参加者またはそのサブセットが別の通信システムによって使用されるかどうかに関係なく、周波数帯域の異なるチャネルにおける部分ごとの第２のチャネルアクセスパターンに基づいて第２の通信システムの参加者間でデータを転送するステップを含み、第１のチャネルアクセスパターンおよび第２のチャネルアクセスパターンが異なる。
【０１０６】
実施形態は、異なる相互に調整されていない無線ネットワークの参加者間の相互妨害を低減することによって、デジタル無線転送システムの性能を向上させる。実施形態によれば、この効果は、特定の特性（以下に説明される）を有するネットワーク個別のチャネルアクセスパターンの生成および使用によって達成される。特に大きな利点は、テレグラム分割多元接続方式を使用したデータ転送をもたらす。
【０１０７】
性能の向上は、（特定の負荷による）パケットエラー率の低下、または（特定のパケットエラー率による）ネットワークの使用率の向上のいずれかをもたらす。
【０１０８】
本発明の実施形態は、添付の図面を参照してより詳細に説明される。
【図面の簡単な説明】
【０１０９】
【図１】本発明の実施形態にかかる、第１の通信システムを有する通信構成の概略ブロック回路図を示している。
【図２】本発明の実施形態にかかる、１つの基地局およびそれぞれ４つの関連する端末装置を有する２つの相互に調整されていないネットワークの通信構成の概略ブロック回路図を示している。
【図３】本発明の実施形態にかかる、周波数帯域のリソースへの分割、ならびに２つの異なるチャネルアクセスパターンによって定義される周波数帯域のリソースの周波数ホップベースおよび時間ホップベースの占有を図で示している。
【図４】本発明の実施形態にかかる、１つの基地局および複数の端末点を有する通信システムの概略ブロック回路図を示している。
【図５】本発明の実施形態にかかる、チャネルアクセスパターンを生成するためのコントローラの概略ブロック回路図を示している。
【図６】本発明のさらなる実施形態にかかる、チャネルアクセスパターンを生成するためのコントローラの概略ブロック回路図を示している。
【図７】本発明の実施形態にかかる、コントローラのセクションの概略ブロック回路図を示している。
【図８】変数Δｆｉに関するモンテカルロシミュレーションベースのヒストグラムを図で示している。
【図９】本発明の実施形態にかかる、チャネルアクセスパターンおよび時間軸上へのチャネルアクセスパターンの投影によって定義される周波数帯域のリソースの周波数ホップベースおよび時間ホップベースの占有を図で示している。
【図１０】本発明の実施形態にかかる、時間軸上に投影され、未使用のタイムスロットをもたらすチャネルアクセスパターンのリソース要素を図で示している。
【図１１】本発明の実施形態にかかる、活動率Ａ＝１／４を有する、時間軸上に投影されたチャネルアクセスパターンのリソース要素を図で示している。
【図１２】本発明の実施形態にかかる、活動率Ａ＝１／４を有し且つチャネルアクセスパターンの連続するタイムスロット間の指定された最小距離を有する、時間軸上に投影されたチャネルアクセスパターンのリソース要素を示している。
【図１３】本発明の実施形態にかかる、異なる活動率Ａ１、Ａ２、およびＡ３の領域へのチャネルアクセスパターン１１０の時間的分布を示している。
【図１４】本発明の実施形態にかかる、チャネルアクセスパターンがオンデマンドでアクティブ化可能なリソースをさらに含む、チャネルアクセスパターンによって定義される周波数帯域のリソースの周波数ホップベースおよび時間ホップベースの占有を図で示している。
【図１５】本発明の実施形態にかかる、定期的により大きく乱されている周波数帯域の周波数範囲がチャネルアクセスパターンによって占有されていない、チャネルアクセスパターンによって定義された周波数帯域のリソースの周波数ホップベースおよび時間ホップベースの占有を図で示している。
【図１６】本発明の実施形態にかかる、周波数領域のリソースがバンドリングされた、チャネルアクセスパターンによって定義される周波数帯域のリソースの周波数ホップベースおよび時間ホップベースの占有を図で示している。
【図１７】本発明の実施形態にかかる、複数の通信システムによる通信に使用される周波数帯域において無線通信する通信システムの基地局を動作させる方法のフロー図を示している。
【図１８】本発明の実施形態にかかる、複数の通信システムによる通信に使用される周波数帯域において無線通信する通信システムの端末点を動作させる方法のフロー図を示している。
【図１９】本発明の実施形態にかかる、チャネルアクセスパターンを生成する方法のフロー図を示している。
【図２０】複数の通信システムによる通信に使用される周波数帯域において無線通信する通信システムを動作させる方法のフロー図を示している。
【図２１】複数の通信システムによる無線通信に使用される２つの通信システムを１つの周波数帯域で動作させる方法のフロー図を示している。
【発明を実施するための形態】
【０１１０】
本発明の実施形態のその後の説明において、同じ要素または同じ効果を有する要素は、それらの説明が相互に交換可能であるように、図面において同じ参照符号が提供される。
【０１１１】
図１は、本発明の実施形態にかかる、第１の通信システム１０２＿１を有する通信構成１００の概略ブロック回路図を示している。
【０１１２】
第１の通信システム１０２＿１は、基地局１０４＿１および１つまたは複数の端末点１０６＿１〜１０６＿ｎを備えることができ、ｎは、１以上の自然数である。図１に示される実施形態では、例示の目的で、第１の通信システム１０２＿１は、４つの端末点１０６＿１〜１０６＿４を備えるが、第１の通信システム１０２＿１はまた、１、１０、１００、１，０００、１０，０００、さらには１００，０００の端末点を備えることができる。
【０１１３】
第１の通信システム１０２＿１は、複数の通信システムによる通信に使用される周波数帯域（例えば、ＩＳＭ帯域などのライセンスフリーおよび／または許可フリーの周波数帯域）で無線通信するように構成されることができる。この場合、周波数帯域は、第１の通信システム１０２＿１の参加者の受信フィルタよりも著しく大きい（例えば、少なくとも２倍大きい）帯域幅を含むことができる。
【０１１４】
図１に示されるように、第２の通信システム１０２＿２および第３の通信システム１０２＿３は、例えば、第１の通信システム１０２＿１の範囲内にあることができ、これらの３つの通信システム１０２＿１、１０２＿２、および１０２＿３は、同じ周波数帯域を使用して無線通信することができる。
【０１１５】
実施形態では、第１の通信システム１０２＿１は、これらが別の通信システム（例えば、第２の通信システム１０２＿２および／または第３の通信システム１０２＿３）によって使用されるかどうかに関係なく、チャネルアクセスに基づいて部分的に（例えば、タイムスロットにおいて）周波数帯域の異なる周波数または周波数チャネル（例えば、周波数帯域が分割される）を通信に使用するように構成されることができ、チャネルアクセスパターンは、複数の他の通信システムのうちの少なくとも１つの他の通信システム（例えば、第２の通信システム１０２＿２）がそれに基づいて周波数帯域にアクセスする別のチャネルアクセスパターンとは異なる。
【０１１６】
したがって、図１に示されるそのような通信構成１００では、相互に調整されていない通信システム（例えば、第１の通信システム１０２＿１および第２の通信システム１０２＿２）の信号は、干渉による相互妨害が回避または最小化されるように、異なるチャネルアクセスパターンによって互いに分離されることができる。
【０１１７】
例えば、第１の通信システム１０２＿１の参加者、例えば、基地局１０４＿１およびいくつかの端末点１０６＿１〜１０６＿４は、第１のチャネルアクセスパターン（例えば、第１の通信システム１０２＿１の通信に使用可能な周波数帯域の周波数ホップベースの占有（例えば、リソース）を示す）に基づいて、それらの間で無線通信することができる一方で、第２の通信システム１０２＿２の参加者、例えば、基地局１０４＿２およびいくつかの端末点１０６＿５〜１０６＿８は、第２のチャネルアクセスパターン（例えば、第２の通信システム１０２＿２の通信に使用可能な周波数帯域の周波数ホップベースの占有（例えば、リソース）を示す）に基づいて、それらの間で無線通信することができ、第１のチャネルアクセスパターンおよび第２のチャネルアクセスパターンは異なる（例えば、使用されるリソースにおいて２０％未満のオーバーラップを含み、理想的な場合にはオーバーラップがない）。
【０１１８】
上記のように、通信システム（例えば、第１の通信システム１０２＿１および第２の通信システム１０２＿２）は、相互に調整されていない。
【０１１９】
通信システム１０２＿１、１０２＿２、１０２＿３が相互に調整されていないということは、通信システムが相互に（＝通信システム間で）それぞれ使用されるチャネルアクセスパターンに関する情報を交換しない、換言すれば、通信システムが別の通信システムによって使用されるチャネルアクセスパターンに関するいかなる知識も有しないという事実を指す。したがって、第１の通信システム１０２＿１は、どのチャネルアクセスパターンが別の通信システム（例えば、第２の通信システム１０２＿２）によって使用されているかを知らない。
【０１２０】
したがって、実施形態は、相互に使用される周波数帯域にアクセスするデータの転送のための、相互に調整されていない、場合によっては相互に同期されていない無線ネットワーク（または通信システム）１０２＿１、１０２＿２の通信構成１００を参照する。換言すれば、互いに独立して動作する少なくとも２つの無線ネットワーク１０２＿１、１０２＿２が存在する。双方のネットワーク１０２＿１、１０２＿２は同じ周波数帯域を使用する。
【０１２１】
実施形態では、個々のデータ転送のそれぞれにおいて、周波数帯域の（小さな）部分、例えば、周波数チャネルまたは部分周波数チャネルのみが使用されると想定されている。例えば、周波数帯域は、（部分的な）周波数チャネルに分割されることができ、周波数チャネルは、全周波数帯域の実際のサブセットである。使用可能な全ての周波数チャネルの全体が、使用される周波数帯域を構成する。例えば、テレグラム分割法では、メッセージ（データパケット）の転送は、一連の異なる周波数チャネルを介して連続的に実行されることができる。この場合、実施形態は特に有用である。
【０１２２】
多くの場合、ネットワーク（または通信システム）１０２＿１、１０２＿２は、ネットワーク（例えば、通信システム１０２＿２）の参加者の送信信号がまた、他の近くのネットワーク（例えば、通信システム１０２＿１）の参加者によっても受信されることができるように配置される。そこでは、それらは、図２に示すように、主に無線転送システムの性能を大幅に低下させる可能性のある外乱信号（干渉）として機能する。
【０１２３】
詳細には、図２は、それぞれ基地局（ＢＳ  １）１０４＿１、（ＢＳ  ２）１０４＿２を有する２つの相互に調整されていないネットワーク１０２＿１、１０２＿２、およびそれぞれ関連する４つの端末装置１０６＿１〜１０６＿４、１０６＿５−１０６＿８の概略図を示している。換言すれば、図２は、基地局（ＢＳ  １）１０４＿１、（ＢＳ  ２）１０４＿２と４つの端末装置１０６＿１〜１０６＿４、１０６＿５〜１０６＿８をそれぞれ備えた２つのネットワーク１０２＿１、１０２＿２のネットワークトポロジの例を示している。破線矢印１０８は、例示的に潜在的な妨害信号を象徴している。すなわち、無線参加者は、それぞれ他のネットワークからの受信機の送信信号を妨害信号として受信することができる。状況によっては、多数のネットワークが相互受信範囲内にあるため、参加者（基地局または端末装置）は、他のネットワークからのかなりの数の妨害者にさらされる可能性がある。
【０１２４】
（上記のように）一般的に使用されるリソースとしての周波数帯域が個々のオーバーラップしない周波数チャネルに分割される場合、外乱信号の影響は大幅に減少する可能性がある。相互に調整されたネットワークでは、周波数帯域の一部（周波数チャネルのセット）を各ネットワークに排他的に割り当て、相互の妨害（干渉）を最小限に抑えることができる。完全に調整されていないネットワークでは、これは不可能である。
【０１２５】
したがって、実施形態では、物理変換媒体（すなわち、物理無線チャネル）へのアクセスは、以下のうちの少なくとも１つが満たされるように、各ネットワークに実装される：
ａ）ネットワーク内のチャネルアクセス、すなわち無線チャネルの周波数占有および時間占有は、同じ標準の別のネットワーク内のチャネルアクセスと時間および周波数においてできるだけオーバーラップしていない（高度な「直交性」）、
ｂ）チャネルアクセスは、望ましい仕様（例えば、時間あたりの平均アクセス頻度）内の（疑似）ランダム文字を有する（「ランダム性」）、
ｃ）仕様にしたがってこれが回避可能である限り、ネットワーク間で（時間および周波数が）同一のチャネルアクセスのシーケンスはもはや存在しない（「体系的なオーバーラップの回避」）。
【０１２６】
ｄ）可能な限り高い周波数ダイバーシティを達成し、場合によっては公式の規制仕様を順守するために、周波数帯域内の全ての周波数チャネルが可能な限り定期的に使用される（「使用される周波数チャネルの均一な分布」）、
ｅ）例えば、ネットワークに参加する新たな参加者についての無線チャネルの周波数占有および時間占有に関する情報は、可能な限り少ないシグナリング作業で送信されることができる（「シグナリング情報の削減」）。
【０１２７】
簡単に言えば、実施形態では、いくつかのネットワーク間の相互擾乱（ネットワーク間干渉）は、好ましくは可能な限り「直交」で且つ（疑似）ランダム文字を使用して、異なる周波数および時間で相互に使用される周波数帯域へのチャネルアクセスを実行することによって削減される。
【０１２８】
以下では、説明のために、周波数帯域を個別の周波数チャネル（インデックスｃ０、ｃ１、ｃ２、・・・）に分割する以外に、それぞれのネットワーク内のアクセスの時間的離散化も実行されると想定される。関連する時間リソースは、タイムスロットと呼ばれ、図３にインデックスｔ０、ｔ１、ｔ２、・・・で提供される。しかしながら、双方の要件（周波数および時間の離散化）は、実施形態の適用に必要な前提条件ではない。
【０１２９】
詳細には、図３は、周波数帯域のリソースへの分割と、２つの異なるチャネルアクセスパターンによって定義された周波数帯域のリソースの周波数ホップベースおよび時間ホップベースの占有を図で示している。ここで、縦軸は、周波数チャネルインデックスを表し、横軸は、タイムスロットインデックスを表している。
【０１３０】
例えば、第１の通信システム１０２＿１の参加者は、第１の通信システム１０２＿１の通信に使用される周波数帯域のリソースの周波数ホップベースの占有を示す第１のチャネルアクセスパターン１１０＿１に基づいて、それらの間で無線通信することができる一方で、第２の通信システム１０２＿２の参加者は、第２の通信システム１０２＿２の通信に使用可能な、周波数帯域のリソースの周波数ホップベースの占有を示す第２のチャネルアクセスパターン１１０＿２に基づいて、それらの間で無線通信し、第１のチャネルアクセスパターンおよび第２のチャネルアクセスパターンは異なる（例えば、２０％未満のオーバーラップを含み、理想的な場合にはオーバーラップを含まない）。
【０１３１】
換言すれば、図３は、周波数および時間における全ての基本的に利用可能なリソースの概要をグリッド形式で示し（周波数チャネルおよびタイムスロットならびに例示的なチャネルアクセスパターンの概略図）、第１の通信ネットワーク１０２＿１の個々のリソース要素は、周波数チャネルインデックスおよびタイムスロットインデックスの割り当てによって決定される。一例として、第１の通信ネットワーク１０２＿１が占有することができるリソースは、参照符号１１２＿１によって示されるリソース要素である。通信ネットワーク内で占有できる全てのリソースのセットは、チャネルアクセスパターン１１０＿１を表す。第１の通信ネットワーク１０２＿１の場合、これらは全て、参照符号１１２＿１によって示され、矢印を介して接続されたリソース要素である。同様に、別の通信ネットワーク（例えば、第２の通信ネットワーク１０２＿２）のチャネルアクセスパターンは、第１の通信ネットワーク１０２＿１としての同じ周波数グリッドおよび時間グリッドに固定されていない（リソース要素は、第１の通信システム１０２＿１のベースグリッドから周波数および時間においてシフトされる）図３に例示的に図示されている（参照符号１１２＿２によって示され且つ矢印で接続されている全てのリソース要素）。
【０１３２】
・全ての基本的に（最大）利用可能なリソース要素、すなわち、チャネルアクセスパターンが適切なサブセットを選択する全てのリソース要素（例えば、図３のグリッドの全ての要素）の合計量、
・実際にチャネルアクセスパターンに含まれる全てのリソース要素（図３では、参照符号１１２＿１によって提供される全てのリソース要素）、および
・データ転送のためにネットワークにおいて実際に占有できる（チャネルアクセスパターンの）リソース要素の量（例えば、データ量が少ない場合、チャネルアクセスパターンにおいて利用可能な３つおきのリソース要素のみが実際に使用できる）
の間を区別することが重要である。
【０１３３】
したがって、チャネルアクセスパターンの設計はまた、この通信ネットワーク（または通信システム）のアクティブに使用可能なリソース供給の決定も意味する。
【０１３４】
通信のために上記の基準ａ）からｅ）のうちの少なくとも１つを満たすチャネルアクセスパターンを使用する基地局、端末点、および／または通信システムの実施形態を以下に説明する。さらに、そのようなチャネルアクセスパターンの生成の実施形態を以下に説明する。
【０１３５】
１．基地局、端末点および通信システム
図４は、実施形態にかかる、１つの基地局１０４および複数の端末点１０６＿１〜１０６＿４を有する通信システム１０２の概略ブロック回路図を示している。
【０１３６】
実施形態にかかる図４に示されるように、通信システム１０２は、１つの基地局および４つの端末点１０６＿１〜１０６＿４を備えることができる。しかしながら、本発明は、そのような実施形態に限定されるものではなく、むしろ、通信システムは、１つまたは複数の端末点１０６＿１〜１０６＿ｎを備えることができ、ｎは、１以上の自然数である。例えば、通信システムは、１、１０、１００、１０００、１０，０００、さらには１００，０００の端末点を備えることができる。
【０１３７】
図４に示される通信システムの参加者（＝基地局１０４および端末点１０６＿１〜１０６＿４）は、図１から図３を参照して上で説明したように、複数の通信システムによる通信に使用される相互通信のために周波数帯域（例えば、ＩＳＭ帯域などのライセンスフリーおよび／または許可フリーの周波数帯域）を使用する。この場合、通信システム１０２は、同じ周波数帯域を使用する他の通信システムに関して調整されていない方法で動作する。
【０１３８】
実施形態では、基地局１０４は、信号１２０を送信するように構成されることができ、信号１２０は、チャネルアクセスパターン１１０に関する情報を含み、チャネルアクセスパターンは、通信システム１０２の通信に使用可能な周波数帯域の（例えば、リソースの）周波数ホップベースおよび／または時間ホップベースの占有（例えば、通信システムの通信に使用可能な周波数リソースの時間的シーケンス（例えば、周波数帯域全体に分散された）を示し、情報は、数値シーケンスを生成するための数値シーケンスジェネレータの状態を記述し、数値シーケンスは、チャネルアクセスパターンを決定する。
【０１３９】
例えば、数値シーケンスジェネレータの状態は、数値シーケンスジェネレータの内部状態とすることができ、数値シーケンスの番号は、数値シーケンスジェネレータの内部状態から導出されることができる。数値シーケンスジェネレータの内部状態に基づいて、数値シーケンスジェネレータの内部状態に続く数値シーケンスジェネレータの内部状態を識別することができ、そこから、次の数値シーケンスの番号も導出することができる。例えば、数値シーケンスの番号は、例えばカウンタとしての数値シーケンスジェネレータの実装において、数値シーケンスジェネレータの内部状態（例えば、状態＝番号）から直接、またはおそらくフィードバックにより例えばシフトレジスタとしての数値シーケンスジェネレータの実装マッピング関数を介して、導出されることができる。
【０１４０】
実施形態では、端末点１０６＿１、１０６＿４のうちの少なくとも１つは、チャネルアクセスパターン１１０に関する情報を有する信号１２０を受信し、チャネルアクセスパターンに関する情報に基づいてチャネルアクセスパターン１１０を識別するように構成されることができ、情報は、数値シーケンスを生成するための数値シーケンスジェネレータの状態を記述し、数値シーケンスは、チャネルアクセスパターンを決定する。
【０１４１】
例えば、基地局１０４および／または端末点１０６＿１〜１０６＿４の少なくとも１つは、例えば、疑似ランダムマッピング関数を使用することにより、数値シーケンスジェネレータの状態の関数としてチャネルアクセスパターンを疑似ランダムに識別するように構成されることができる。
【０１４２】
さらに、基地局１０４および／または端末点１０６＿１〜１０６＿４の少なくとも１つは、通信システムの個々の情報（例えば、ネットワーク固有の識別子などの通信システムの固有の情報）の関数としてチャネルアクセスパターンを疑似ランダムに識別するように構成されることができる。
【０１４３】
チャネルアクセスパターンの生成の実施形態を以下に説明する。この場合、チャネルアクセスパターンは、基地局１０４によって生成され、例えば、基地局１０４および／または端末点１０６＿１〜１０６＿４にそれぞれ実装されたコントローラ（制御装置、制御ユニット）１３０により、チャネルアクセスパターンを介した情報１２０を有する信号に基づいて、図４に示される端末点１０６＿１〜１０６＿４の１つ（または全て）によって識別されることができる。この場合、チャネルアクセスパターンの指定は、基地局１０４によって（排他的に）行われるが、端末点１０６＿１〜１０６＿４は、チャネルアクセスパターンを「知っている」だけである。すなわち、それらは、基地局１０４と同じ方法にしたがって同じものを生成する。
【０１４４】
以下の説明は、参加者が相互受信範囲内にあるいくつかの独立した相互に調整されていない通信ネットワークを備えた無線転送システム（または通信構成）を想定しているため、１つのネットワークの参加者からの送信信号は、他のネットワークの参加者にとって妨害信号と潜在的に見なされる可能性がある。実施形態の適用のために、異なるネットワーク間で情報（データまたは信号化情報）を交換する必要はない。同様に、ネットワークが相互に時間および／または周波数で同期されているかどうかは関係ない。
【０１４５】
さらに、各ネットワーク内に、ネットワーク内で適用されるチャネルアクセスパターンに関する情報をネットワークの非調整参加者（以下、「端末装置」または「端末点」と呼ぶ）に送信することができる調整インスタンス（以下、「基地局」と呼ぶ）が存在すると想定される。例えば、この情報は、定期的に発せられるビーコン信号を介して送信されることができるが、不規則な間隔で、または場合によっては、専用の方法で、個々の端末装置または端末装置のグループに転送されることができる。
【０１４６】
さらに、転送に利用可能な周波数帯域全体が多数の個別の周波数チャネルに分割され、それぞれが個別に、またはサブセット（周波数チャネルのグループ）でアクセスできると想定される。
【０１４７】
一般性を制限することなく、よりわかりやすく説明するために、以下では、チャネルアクセスを実行できる各ネットワーク内に固定の離散時間パターンがあることを前提としている（図３を参照）。信号の放出の形態でのチャネルアクセスは、端末装置および基地局によって実行されることができる。しかしながら、チャネルアクセスは、例えば、転送されるべきデータやその他の情報がない場合など、チャネルアクセスパターンにおいてこの目的のために提供されるリソースで必ずしも実行する必要はない。
【０１４８】
図５は、本発明の実施形態にかかる、チャネルアクセスパターンを生成するためのコントローラ１３０の概略ブロック回路図を示している。
【０１４９】
図５に見られるように、コントローラ１３０は、メモリ１３２と、周期的数値シーケンスＺを生成するための周期的数値シーケンスジェネレータ１３４と、ランダム化マッパー１３６と、周波数／時間マッパー１３８とを備えることができる。
【０１５０】
メモリ（例えば、レジスタ）１３２は、ネットワーク固有の識別子ＩＤ  １４０、例えば、変化しない（個別の）ビットシーケンスを記憶するように構成されることができる。周期的数値シーケンスジェネレータ１３４は、その状態１４２またはその状態から導出された周期的数値シーケンスの番号１４２’を提供するように構成されることができる。ランダム化マッパー１３６は、数値シーケンスジェネレータ１３４の状態１４２またはそこから導出された周期的数値シーケンスの番号１４２’およびネットワーク固有の識別子ＩＤ  １４０の関数として疑似乱数Ｒ１４４を識別するように構成されることができる。周波数／時間マッパー１３８は、疑似乱数Ｒ１４４に基づいて周波数情報ｆ１４６および時間情報ｔ１４８を識別するように構成されることができる。例えば、周波数情報ｆ１４６および時間情報ｔ１４８は、周波数チャネルおよびタイムスロット（または周波数チャネルインデックスおよびタイムスロットインデックス）、したがってチャネルアクセスパターンのリソースを記述または定義することができる。
【０１５１】
例えば、図４に示されているように、コントローラ１３０は、通信システム１０２によって使用される個々の（またはネットワーク−個々の）チャネルアクセスパターンを計算するために、基地局１０４および／または１つまたは複数の端末点１０６＿１〜１０６＿４に実装されることができる。
【０１５２】
換言すれば、図５は、本発明の実施形態にかかるチャネルアクセスパターンを生成するための基本構造を示している。
【０１５３】
チャネルアクセスパターンの生成は、繰り返し実行される。すなわち、図５に示すブロックは、チャネルアクセス情報の単一片の生成ごとに１回呼び出される。Ｎ回の呼び出しにより、Ｎチャネルアクセスのチャネルアクセスパターンが生成される。
【０１５４】
部分ブロックの機能については、以下に詳細に説明される。「番号」という用語が使用される。これは、一般に、異なる形式で存在する可能性のある個別の情報である（例えば、１０進数形式、バイナリシーケンスなど）。
【０１５５】
ネットワーク固有の識別子「ＩＤ」
ネットワーク固有の識別子は、外部インスタンスによって決定される固定番号である（例えば、ネットワークの構成時、または調整基地局の場合）。理想的には、それはネットワークごとに異なる。例えば、それは、それぞれ、明確な、十分に長い基地局ＩＤ、明確なネットワークＩＤ、またはそれらについての十分に長いハッシュとすることができる。この変数は、固定されており、示されている配置で呼び出しごとに変化しない唯一の変数である。
【０１５６】
周期的数値ジェネレータ「Ｚ」
周期的数値ジェネレータ１３４は、周期性Ｐで周期的に繰り返される数のシーケンスＺを生成する。それは、次に生成される数および次の内部状態Ｓｎ＋１を明確に決定することができる内部状態Ｓｎを有する。重要な特徴は、各時間ステップの周期シーケンス全体が、既に単一の内部状態（任意の時間ステップに存在する）から導出されることができるということである。例えば、単純な実施形態は、数値シーケンス０、１、２・・・（Ｐ−１）を周期的に送達するモジュロＰカウンタである。さらなる実施形態は、例えば、フィードバックシフトレジスタ（ＬＦＳＲ）の形式で実装される決定論的乱数ジェネレータ（疑似乱数ジェネレータ）である。第３の実施形態は、Ｐ要素を有する有限体（ガロア体）である。
【０１５７】
ランダム化マッパー
ランダム化マッパー１３６は、２つの入力番号ＩＤおよびＺから出力番号Ｒ、すなわちＲ＝ｍａｐ＿ｒａｎｄ（ＩＤ，Ｚ）を生成し、ここで、ｍａｐ＿ｒａｎｄは、マッピング関数を表す。この場合、マッピングは、可能な限りランダムな文字を有する。すなわち、数学的に相関のある入力シーケンス（ＩＤ、Ｚから構成される）は、それ自体が可能な限り無相関の出力シーケンスＲを生成する。
【０１５８】
ランダム化マッピングの実施形態は、以下のとおりである：
・２つの入力番号をリンクする
・入力品質ＩＤ，Ｚに巡回冗長検査（ＣＲＣ）を適用し、これは、数値Ｒにつながり、ランダム化文字を有する
・ハッシュ関数を適用する
・例えば、ＡＥＳ暗号化などの暗号化を適用し、関連付けられた鍵は、全ての承認された参加者に認識されているため、「トランスポート層セキュリティ」（ＴＬＳ）を埋め込む方法も表す。
【０１５９】
上記によれば、数Ｒの要素のシーケンスは、疑似乱数の性質からなる。チャネルアクセスパターンのオーバーラップを避けるために、ネットワークごとに異なる必要がある。
【０１６０】
周波数／時間マッパー
周波数／時間マッパー１３８は、マッピングによって、各入力番号Ｒに、周波数情報（無線周波数ｆ）および時間情報（アクセス時間ｔ）の２タプルをマッピングする。すなわち（ｆ，ｔ）＝ｍａｐ＿ｆｔ（Ｒ）であり、「ｍａｐ＿ｆｔ」は、マッピング関数を表す。原則として、周波数のシーケンスは、指定された周波数帯域内で任意とすることができるが、時間の「戻り」は許容されないため、時点は、呼び出しから呼び出しまで単調に増加する形式で存在することができる。
【０１６１】
実施形態として、特に重要なことは、チャネルアクセスが（上記のように）時間／周波数方向に離散化される場合、すなわち、離散周波数チャネルおよび離散タイムスロットの形態で行われる場合である。この場合、周波数／時間マッパーは、各入力数値Ｒに周波数チャネルインデックスｆｉとタイムスロットインデックスｔｉの２タプルを割り当てる。すなわち（ｆｉ，ｔｉ）＝ｍａｐ＿ｆｔ（Ｒ）である。時間の「戻り」は許容されないため、タイムスロットには、時間的に昇順でインデックスが付けられる。タイムスロットの占有に関する詳細な説明は、セクション３に見ることができる。
【０１６２】
２タプル（ｆ，ｔ）または（ｆｉ，ｔｉ）のシーケンスは、Ｒの要素のシーケンスに基づいており、チャネルアクセスパターンを定義する。
【０１６３】
周波数／時間マッパーの正確な実装は、数値Ｒの確率関数とともに、チャネルに関するアクセス統計を決定する。
【０１６４】
状態のシグナリングおよび予測可能性
図５に示す配置は、時間的に不変のネットワーク固有の識別子と、状態に依存する（したがって時間的に可変の）周期的数値ジェネレータ（周期性Ｐ）の双方に依存するチャネルアクセスパターンを生成する。ネットワーク固有の識別子を使用すると、数値ジェネレータが同じ状態になった場合であっても、ネットワーク固有の識別子が異なるネットワークが常に異なるＲのシーケンスを生成することが保証されることができる。これにより、異なるネットワークが同一のチャネルアクセスパターンを生成せず、したがって、最悪の場合、チャネルアクセスの「継続的な衝突」に陥らないことを保証することができる。
【０１６５】
ネットワークで使用されるチャネルアクセスパターンを識別するために、端末装置は、ネットワーク固有の識別子と周期的数値ジェネレータのそれぞれの状態とを必要とする。
【０１６６】
ネットワーク固有の識別子は、ネットワークでの最初のログオン時に既に端末装置によって取得される。有利なことに、同じものは、基地局によって定期的に発せられるビーコン信号によって転送され、全ての許可された端末装置によって利用可能にされる。あるいは、ネットワーク固有の識別子はまた、初期構成の過程で（配信を伴う）、すなわちネットワークでの最初の動作の前に、端末装置に知られることもできる。
【０１６７】
周期的数値ジェネレータの状態は、通常のビーコン信号および／または別個の専用の状態信号リソースのいずれかで転送されることができる。周期性Ｐの数値ジェネレータは、Ｐ個の内部状態を有するため、
2021528913.tif 000003
ビットは、それぞれの状態の送信のために転送される。したがって、状態シグナリングごとに転送される情報の量（ビット数）は、要件にしたがって数値ジェネレータの選択された周期性によって制御されることができる。
【０１６８】
状態シグナリングのために転送される情報は、いくつかの部分情報の形態で転送されることができ、転送は、異なる周波数で実行されることができる。したがって、周期的数値ジェネレータ（Ｚ）がカウンタである場合の実施形態として、カウンタのより高い値のビット（最上位ビット（ＭＳＢ））は、より低い値のビット（最下位ビット（ＬＳＢ））から分離されて、および異なる周波数で（例えば、より低い頻度で）転送されることができる。カウンタでない場合であっても、状態情報全体が、転送頻度の異なるいくつかの部分的な状態情報の形態で転送されることができる。
【０１６９】
数値ジェネレータの周期性を通じて、少なくともある時点で数値ジェネレータの状態を知っている端末装置は、将来の時間／タイムスロットの任意の時点のチャネルアクセスパターン全体を決定することができる。これにより、省エネアイドル状態の端末装置は、例えば、送信／受信ユニットを非アクティブ化し、送信／受信ユニットがその後アクティブ化されるときに、チャネルアクセスパターンのその時点で有効な部分を最後の既知の状態から事前に決定することができる。したがって、基地局による状態情報の放出は、比較的大きな時間間隔で行われることができる。
【０１７０】
要約すると、本明細書で説明する方法は、（疑似乱数）数Ｒの比較的大きな状態空間が、ネットワーク固有の識別子と周期的数値ジェネレータとの組み合わせによってカバーされるという利点を有する。これにより、ネットワークのチャネルアクセスパターンが異なるネットワーク指定の識別子と同一になるのを防ぎ、相互に調整されていない異なるネットワークのチャネルアクセスの体系的な衝突を最小限に抑えることができる。これは、テレグラム分割多元接続（ＴＳＭＡ）方式に特に有利であることがわかる。
【０１７１】
周波数／時間マッパーの有利な特徴については、以下のセクションにおいてより詳細に説明される。
【０１７２】
コントローラのさらなる実施形態
図５および上記の説明によれば、周期的数値ジェネレータ１３４が必要である。以下の実施形態では、それは以下のように置き換えられる。
【０１７３】
実際の無線ネットワークは、定期的に発信されるビーコン信号によって動作されることがよくある。この場合、各ビーコン放出は、ビーコンシーケンスインデックスに対応するカウンタを備えることができる。ここでは、このビーコンシーケンスインデックスを「ビーコンインデックス」と呼ぶ。
【０１７４】
また、タイムスロットベースのシステムのタイムスロットにタイムスロットインデックスカウンタ（時間方向に増加する）を提供することも一般的な方法である（図３を参照）。ここでは、これを「タイムスロットインデックス」と呼ぶ。ビーコンインデックスは、システムで指定された特定の間隔でゼロにリセットされるため、周期性を有する。同じことがタイムスロットインデックスにも当てはまる（例えば、ビーコンの放出後にゼロから再開する）。
【０１７５】
図６は、本発明の実施形態にかかる、チャネルアクセスパターンを生成するためのコントローラ１３０の概略ブロック回路図を示している。
【０１７６】
コントローラ１３０は、メモリ１３２と、第１のバッファ１３５＿１と、第２のバッファ１３５＿２と、ランダム化マッパー１３６と、周波数／時間マッパー１３８とを備えることができる。
【０１７７】
メモリ（例えば、レジスタ）１３２は、ネットワーク固有の識別子ＩＤ  １４０、例えば、不変の（個別の）ビットシーケンスを記憶するように構成されることができる。第１のバッファ（例えば、レジスタ）１３５＿１は、周期的なビーコンインデックスＺ１  １４３＿１を記憶するように構成されることができる。第２のバッファ（例えば、レジスタ）１３５＿２は、周期的なタイムスロットインデックスＺ２  １４３＿２を記憶するように構成されることができる。ランダム化マッパー１３６は、周期的ビーコンインデックスＺ１  １４３＿１、周期的タイムスロットインデックスＺ２  １４３＿２、およびネットワーク固有の識別子ＩＤ  １４０の関数として疑似乱数Ｒ  １４４を識別するように構成されることができる。周波数／時間マッパー１３８は、疑似乱数Ｒ  １４４に基づいて周波数情報ｆ１４６および時間情報ｔ１４８を識別するように構成されることができる。例えば、周波数情報ｆ１４６および時間情報ｔ１４８は、周波数チャネルおよびタイムスロット（または周波数チャネルインデックスおよびタイムスロットインデックス）、したがってチャネルアクセスパターンのリソースを記述または定義することができる。
【０１７８】
換言すれば、図６は、ビーコンインデックスとタイムスロットインデックスを使用してチャネルアクセスパターンを生成するための変更された基本構造を示している。図６は、図５に示す実施形態と比較して、周期的数値ジェネレータ（出力Ｚ）１３４が２つのブロック「周期ビーコンインデックス」（出力Ｚ１）１３５＿１および「周期タイムスロットインデックス」（出力Ｚ２）１３５＿２によって置き換えられる実施形態を示している。それ以降の全てのブロックの機能は変更されていない（ここでは、ランダム化マッパーは３つの入力を有する）。
【０１７９】
図５および図６に示されるコントローラ１３０は、以下の特徴のうちの少なくとも１つを備える、ネットワーク−個別のチャネルアクセスパターンの生成を可能にする：
・チャネルアクセスパターンは、オーバーラップする部分シーケンスをできるだけ少なく含む、
・チャネルアクセスパターンの供給が多い（例えば、ネットワーク密度の高いエリア）、
・チャネルアクセスパターンは、周期性が非常に高くなるように設計されている、
・チャネルアクセスパターンは、（対応する要件がある場合）平均して均一な利用可能な周波数チャネルの使用につながる、
・適用されたパターンのシグナリングは、シグナリング情報が可能な限り少ない調整インスタンスによって行われる、
・端末装置は、チャネルアクセスのシグナリングが一度完全に受信されたときにいつでもアクセスパターンの内容を既に決定している可能性がある（これにより、端末装置は、例えば省エネの理由で、より長い受信一時停止を導入し、再度電源を入れたときに、受信が一時停止する前に受信した情報に基づいて有効なチャネルアクセスパターンを決定することができる）。
【０１８０】
２．周波数領域でのチャネルアクセスの制御
以下の図を簡略化するために、周波数範囲（または周波数帯域）が個別の周波数チャネルに分割され、ＴＳＭＡ方式にしたがって転送が実行されると想定する。
【０１８１】
モバイル無線チャネルは、通常、周波数全体で変化する信号減衰を含む。データパケットがＴＳＭＡ方式にしたがって複数の部分データパケットの形式で転送され、基になるモバイル無線チャネルが送信機で認識されていない場合、転送のエラーレートは、（周波数ダイバーシティを使用して）可能な限り周波数ドメイン全体に分散された個々の部分データパケットを転送することによって平均して削減または最小化される可能性がある。
【０１８２】
このため、（特にデータパケットが少数の部分データパケットのみで構成されている場合）部分データパケットが転送される周波数チャネルが周波数領域において相互に特定の（最小）距離を有するようにすることが有利な場合がある。
【０１８３】
チャネルアクセスパターンは、ネットワーク内のＴＳＭＡの周波数ホッピング動作を大幅に決定するため、適切な方法を使用して、チャネルアクセスパターンの２つの連続する周波数チャネル間に最小距離があることを確認できる。
【０１８４】
したがって、実施形態では、周波数／時間マッパー１３８（図５または６を参照）は、疑似乱数Ｒに基づいて周波数情報ｆおよび時間情報ｔを決定するように構成されることができ、周波数情報ｆは、２つの連続する周波数チャネル間の距離を示す。
【０１８５】
したがって、疑似乱数Ｒに基づいてアクセスするためのアクセスとは独立して絶対周波数チャネルを決定する図５または図６の周波数／時間マッパー１３８はまた、代替として、２つの連続する周波数チャネル間の距離も決定することができる。
【０１８６】
図７は、実施形態にかかる、コントローラ１３０のセクションの概略ブロック回路図を示している。図７に見られるように、周波数／時間マッパー１３８（図５または図６を参照）は、疑似乱数Ｒに基づいて周波数情報および時間情報を決定するように構成されることができ、周波Δ、２つの連続する周波数チャネル間の距離Δｆｉｎを示す。
【０１８７】
図７にさらに見られるように、コントローラ１３０は、例えば、コンバイナ（例えば、加算器）１５２および遅延要素１５４によって２つの連続する周波数チャネル間の距離Δｆｉｎを周波数チャネルインデックスｆｉにマッピングするように構成されたマッパー１５０を備えることができる。
【０１８８】
換言すれば、図７は、最小および／または最大のホップ幅を有する周波数ホップの生成を示している。図７は、図５または図６の周波数／時間マッパー１３８が、その即時出力において絶対周波数チャネルインデックスをもはや提供しないが、周波数チャネルインデックス差を提供する周波数差／時間マッパー１３８によって置き換えられることを示している。
【０１８９】
周波数差／時間マッパーの適切なマッピング関数（Δｆｉ，ｔ）＝ｍａｐ＿Δｆｔ（Ｒ）を使用すると、例えば、Δｆｉ＞０の場合はΔｆｉｍａｘ≧Δｆｉ≧Δｆｉｍｉｎ、Δｆｉ＜０の場合はΔｆｉｍａｘ≧（−Δｆｉ）≧Δｆｉｍｉｎなどの所望の範囲内にある、周波数チャネルインデックスホップΔｆｉｎ＝ｆｉｎ＋１−ｆｉｎ（チャネルアクセスｎからチャネルアクセスｎ＋１まで）が実行されることが保証されることができる。そのような制限を実施するための多くの方法があり、それらは本発明の対象ではない。（図８の生成に使用された）ＭＡＴＬＡＢ（登録商標）の対応するプログラムコードの形式での例示的な実装は、付録に見ることができる。
【０１９０】
図８は、変数Δｆｉ（時間的に隣接するチャネルアクセス間の周波数チャネルインデックスΔｆｉの差）に関するモンテカルロシミュレーションベースのヒストグラムを図で示している。
【０１９１】
図示の例では、７２の周波数チャネルが利用可能である。シミュレーション結果に関連するパラメータは、Δｆｉｍｉｎ＝２１、Δｆｉｍａｘ＝５１である。すなわち、チャネルアクセスパターンで連続する２つのアクセス間の距離のサイズは、２１から５１の周波数チャネルである。
【０１９２】
当業者が容易にアクセスできる例示的なプログラムコードの適切な修正により、図８に示されるもの以外の分布形態が、Δｆｉについて生成されることができる（例えば、−Δｆｉｍｉｎから−Δｆｉｍａｘ、または＋Δｆｉｍｉｎから＋Δｆｉｍａｘの範囲の等しい分布）。
【０１９３】
３．一時的なチャネルアクセスアクティビティの仕様
使用率の高いシステムでは、利用可能な全てのタイムスロットは、チャネルアクセスパターンに含まれることができる。あまり使用されていないシステムでは、チャネルアクセスに全てのタイムスロットを利用できる必要はない。これを以下の図に示す。
【０１９４】
図９は、本発明の実施形態にかかる、チャネルアクセスパターン１１０によって定義される周波数帯域のリソース１１２の周波数ホップベースおよび時間ホップベースの占有、ならびにチャネルアクセスパターン１１０の時間軸への投影を図で示している。ここで、縦軸は、周波数チャネルインデックスを表し、横軸は、タイムスロットインデックスを表している。
【０１９５】
換言すれば、図９は、その上部に、周波数および時間（リソース要素１１２）の次元でのチャネルアクセスパターン１１０を例示的に示し、その下部に、時間次元へのその投影を示している。見ることができるのは、全てのタイムスロットがチャネルアクセスパターン１１０の一部であるとは限らないということである。
【０１９６】
したがって、疑似ランダムチャネルアクセスパターン１１０を生成するために、次元周波数（周波数チャネルインデックスの形式）に加えて、次元時間（タイムスロットインデックスの形式）が利用可能である。したがって、チャネルアクセスパターンを生成するとき、平均活動率Ａを指定することができる。ここで、この活動率は、チャネルアクセスに使用されるタイムスロットと利用可能な最大タイムスロットの平均比率として定義される。したがって、全てのタイムスロットを使用する場合、活動率Ａは１（１００％）である。しかしながら、平均して３つおきのタイムスロットのみがチャネルアクセスパターンに含まれている場合、平均活動率Ａ＝１／３である。
【０１９７】
したがって、活動率は、チャネルアクセスパターン１１０で提供されるリソース１１２の（時間的）密度を決定する。
【０１９８】
実施形態では、指定された活動率でのチャネルアクセスのために選択されたタイムスロットは、疑似乱数Ｒの適切な部分から疑似ランダム方式で決定されることができる（図５または図６を参照）。
【０１９９】
実施形態１
各ステップｎにおいて、整数ｒｎは、関連する疑似乱数Ｒｎから導出されることができ、これは、ｒｍｉｎとｒｍａｘとの間の値、すなわちｒｍｉｎ≦ｒｎ≦ｒｍａｘを採用することができる。チャネルアクセスパターン１１０でアクティブである全てのタイムスロットの後、いくつかのｒｎタイムスロットがスキップされてもよく、したがって、それらはチャネルアクセスに使用されない。このプロセスは、図１０に例示的に示されている。
【０２００】
詳細には、図１０は、実施形態にかかる、未使用のタイムスロットをもたらす、時間アクセスに投影されたチャネルアクセスパターン１１０のリソース要素１１２を図で示している。
【０２０１】
換言すれば、図１０は、実施形態にかかる、使用済みおよび未使用のタイムスロットの例示的なシーケンスを示している。
【０２０２】
数ｒが数Ｒから導出され、ｒの要素がｒｍｉｎとｒｍａｘとの間で同じ周波数で発生する場合（等分布）、以下の活動率が得られる。
【０２０３】
Ａ＝２／（２＋ｒｍｉｎ＋ｒｍａｘ）。
【０２０４】
上記の実施形態で提示された方法は、チャネルアクセスパターン１１０でアクティブなタイムスロット間の最小および最大距離を指定できるという利点を有する。最小距離を指定することは、バッテリ駆動装置にとって特に有利な場合があり、２つの連続する放出（回復フェーズ）の間の特定の最小長の送信一時停止がバッテリ寿命を延ばす。
【０２０５】
同等のアプローチで、指定できるのは、アクティブなタイムスロットの最小数が互いに直接続くことである。
【０２０６】
実施形態２
実施形態１にかかる実施において、起こり得ることは、所望よりも局所的に有意に高いまたは低い活動率を有するより長い領域である。この効果は、以下の実施形態では回避される。
【０２０７】
ここでは、チャネルアクセスパターンの１つのアクティブなタイムスロットがそれぞれ配置される連続するタイムスロットのグループが定期的に指定される。図１１では、これは１／４（２５％）の活動率で例示的に示されている。
【０２０８】
詳細には、図１１は、実施形態にかかる、活動率Ａ＝１／４を有する、時間アクセスに投影されたチャネルアクセスパターン１１０のリソース要素１１２を図で示している。
【０２０９】
換言すれば、図１１は、実施形態にかかる、使用済みおよび未使用のタイムスロットの例示的なシーケンスを示している。
【０２１０】
図１１に見られるように、タイムスロットは、クラスタ１１４（図１１の例では４の長さを有する）にグループ化されることができる。チャネルアクセスパターン１１０の正確に１つのタイムスロットが各クラスタ１１４に配置される。クラスタ１１４内のチャネルアクセスパターン１１０に含まれるタイムスロットの位置は、疑似乱数Ｒｎから導出されることができ且つ０から（クラスタ長−１）までの整数を採用することができる変位ｖｎによって決定されることができる。
【０２１１】
チャネルアクセスパターン１１０の２つの連続するタイムスロット間の最小距離が確保されるべきである場合、占有不可能な領域がクラスタ１１４の間に導入されることができる。それらは、図１２に示すように、１つまたは複数のタイムスロットから構成されることができる。
【０２１２】
詳細には、図１２は、実施形態にかかる、活動率Ａ＝１／４を有する、チャネルアクセスパターン１１０の時間アクセスに投影されたリソース要素１１２と、チャネルアクセスパターン１１０の連続するタイムスロット間の指定された最小距離とを図で示している。
【０２１３】
換言すれば、図１２は、実施形態にかかる、占有不可能なタイムスロットを備えた使用済みおよび未使用のタイムスロットの例示的なシーケンスを示している。
【０２１４】
図１２に示すように、非占有タイムスロットのため、変位変数ｖｎの許容範囲は、０から（クラスタ長−１−非占有領域の長さ）の値の範囲に減少する。
【０２１５】
選択された活動率に応じて、クラスタ１１４は、所望の活動率を達成するために、異なる長さを含まなければならない場合がある。この場合、ｖｎの値の範囲は、それぞれのクラスタ長によって異なる。例えば、活動率を４０％に設定するために、長さが２のクラスタと長さが３のクラスタが交互になる場合がある。
【０２１６】
４．異なる活動率の領域を有するチャネルアクセスパターン
できるだけ早く（短い待ち時間で）受信者に到達すべきデータパケットは、転送中に可能な限り互いに密接に続くチャネルアクセス、すなわちチャネルアクセスパターンでの比較的高い活動率を必要とする。
【０２１７】
他方、送信の信頼性（例えば、外乱に対する高いロバスト性）が最も重要であるデータパケットの場合、より長い期間にわたる放出の分布が有利である可能性がある。すなわち、チャネルアクセスパターンにおける比較的低い活動率が好ましい可能性がある。同じことが、バッテリからの時間的に均等化されたエネルギ抽出（時間的に引き伸ばされた伝送アクティビティ）が望まれる装置にも当てはまる。
【０２１８】
上に示したように、活動率、すなわちチャネルアクセスの周波数は、適切な手段によって指定されることができる。ネットワーク内の異なる要件を満たすために、必要に応じて、チャネルアクセスパターンは、それが異なる活動率を有する領域を含むように設計されることができる。これは、図１３に例示的に示されている。個々の要件に応じて、端末装置は、例えば、それらに適した領域で送信することができる。
【０２１９】
詳細には、図１３は、実施形態にかかる、異なる活動率Ａ１、Ａ２、およびＡ３の領域へのチャネルアクセスパターン１１０の時間的分布を示している。
【０２２０】
換言すれば、図１３は、チャネルアクセスパターン１１０内に異なる活動率の３つの領域を有するチャネルアクセスパターンの例を示している。
【０２２１】
５．チャネルアクセスパターンの活動率の需要依存（動的）適応
ネットワーク（または通信システム）１０２では、異なる利用状況が異なる時間に存在することがある。上で説明したように、このネットワークのためのアクティブに使用可能なリソース供給は、チャネルアクセスパターン１１０の設計（すなわち、その活動率または平均時間密度）によって決定されることができる。
【０２２２】
低い実際の使用率で大量のリソース供給（高い活動率）を提供することは、特にバッテリ駆動装置にとって不利になることがある。この例は、チャネルアクセスパターンの全てのアクティブなリソースの間に受信機を動作させ、したがってエネルギを使用する、バッテリ駆動の基地局（例えば、ＰＡＮネットワークの、おそらくいわゆるリピータ動作）である。
【０２２３】
したがって、既存の利用条件に関して、平均活動率、すなわちチャネルアクセスパターン１１０によって提供されるリソースの時間的密度を動的に適応させることが有用とすることができる。チャネルアクセスパターン１１０の活動率が変更されると、それに応じて、これはネットワークの参加者に信号で伝えられ、その目的で、例えば、ビーコン信号（または専用のシグナリングリソース）を使用することができる。
【０２２４】
端末装置１０６が拡張アイドル状態（省エネモード）にある場合、それは、アイドル状態中に変更された可能性のあるチャネルアクセスパターンに関する基地局１０４の放出された信号情報を受信しない場合がある。そのようなシナリオでは、チャネルアクセスパターン１１０が、いつでも特別なシグナリングなしで利用可能な（基本的な）リソースの最小供給、および使用率に応じて追加されることができ且つ適切なシグナリングを受けるリソースの追加供給を提供することが有用であり得る。
【０２２５】
上記の意味で、例えば、チャネルアクセスパターンに追加されたリソースは、図１４に示すように、基本リソースの後に時間的に配置されてもよく、時間／周波数グリッド内でそれらとインターリーブされて配置されてもよい。
【０２２６】
詳細には、図１４は、本発明の実施形態にかかる、チャネルアクセスパターン１１０がオンデマンドでアクティブ化可能なリソース１１２＊をさらに含む、チャネルアクセスパターン１１０によって定義される周波数帯域のリソース１１２の周波数ホップベースおよび時間ホップベースの占有を図で示している。ここで、縦軸は、周波数チャネルインデックスを表し、横軸は、タイムスロットインデックスを表している。
【０２２７】
換言すれば、図１４は、インターリーブされた基本リソースと追加リソースの例を示している。
【０２２８】
６．適応周波数領域占有
ライセンスのない特定の周波数帯域では、ユーザは、規制の制限なしに、周波数帯域内で使用する周波数範囲を自分で決定することがある。これは、利用可能な周波数帯域の特定の領域が他の領域よりも外部ユーザによってより多く占有されているため、より強い外乱にさらされているという事実につながることがある。
【０２２９】
基地局１０４が、周波数帯域のそのような中長期の非対称利用を決定する場合（例えば、受信信号に基づく周波数チャネルごとの信号対干渉電力推定を通じて）、周波数帯域の平均以上の占有範囲は、関連する周波数チャネルをチャネルアクセスパターンに含めないことにより、自身のネットワークによる使用を回避することができる。これは、周波数／時間マッパー（図５または図６を参照）で考慮されるべきであり、全てのネットワーク参加者に適切に通知される。
【０２３０】
例えば、除外された周波数チャネルのグループは、対応する開始および終了周波数チャネルインデックスによって、または開始周波数チャネルインデックスおよびそれに続くチャネル量によって記述されることができる。
【０２３１】
図１５は、本発明の実施形態にかかる、定期的により大きく乱されている周波数帯域の周波数範囲１１５がチャネルアクセスパターン１１０によって占有されていない、チャネルアクセスパターン１１０によって定義された周波数帯域のリソース１１２の周波数ホップベースおよび時間ホップベースの占有を図で示している。ここで、縦軸は、周波数チャネルインデックスを表し、横軸は、タイムスロットインデックスを表している。
【０２３２】
図１５に見られるように、チャネルアクセスパターン１１０を生成するとき、定期的により大きく妨害される（例えば、外部ネットワークによって大きく占有される）周波数領域１１５を考慮することができる。したがって、この周波数領域１１５の周波数チャネルは、チャネルアクセスパターン１１０に含まれない。
【０２３３】
換言すれば、図１５は、チャネルアクセスパターンから大きく乱れた周波数チャネルを除外する例を示している。
【０２３４】
自身のネットワークでのデータ転送のために外乱が発生しやすい周波数領域を回避することで、既に頻繁に使用されている周波数領域で追加の外乱が発生しない他のネットワークによる周波数帯域全体での特定の使用バランスが存在する。
【０２３５】
７．周波数領域でのリソース要素のバンドリング（周波数チャネルバンドリング）
使用されるハードウェアおよびソフトウェアに応じて、基地局１０４が複数の周波数チャネルで同時に受信することが可能である（周波数チャネルバンドリング）。この場合、特により頻繁に使用されるシステムでは、図１６に示されるように、周波数次元でネットワーク内に提供されるリソース要素の数を適宜増やし、タイムスロット内のいくつかの周波数チャネルをチャネルアクセスパターンにそのまま含めることが有利である。
【０２３６】
詳細には、図１６は、実施形態にかかる、リソース１１２が周波数領域でバンドリングされた、チャネルアクセスパターン１１０によって定義される周波数帯域のリソース１１２の周波数ホップベースおよび時間ホップベースの占有を図で示している。ここで、縦軸は、周波数チャネルインデックスを表し、横軸は、タイムスロットインデックスを表している。
【０２３７】
換言すれば、図１６は、３つの隣接する周波数チャネルがそれぞれリソースクラスタにバンドリングされているチャネルアクセスパターン１１０の例示的な図を示している。この場合、図１６は、３つの周波数チャネルのバンドリングをそれぞれ例示的に示している。タイムスロットのリソース要素の各グループは、「リソースクラスタ」と呼ばれる場合がある。チャネルアクセスパターン１１０は、リソースクラスタを構成する周波数チャネルの数に関する情報によって拡張されることができる。
【０２３８】
さらなる実施形態では、リソースクラスタにグループ化された周波数チャネルは、必ずしも直接隣接している必要はない。
【０２３９】
８．さらなる実施形態
図１７は、本発明の実施形態にかかる、複数の通信システムによる通信に使用される周波数帯域において無線通信する通信システムの基地局を動作させる方法２００を示している。方法２００は、信号を送信するステップ２０２を含み、信号が、チャネルアクセスパターンに関する情報を含み、チャネルアクセスパターンが、通信システムの通信に使用可能な周波数帯域の周波数ホップベースおよび／またはタイムホップベースの占有を示し、情報が、数値シーケンスを生成するための数値シーケンスジェネレータの状態を記述し、または情報が、数値シーケンスの番号を記述し、数値シーケンスがチャネルアクセスパターンを決定する。
【０２４０】
図１８は、本発明の実施形態にかかる、複数の通信システムによる通信に使用される周波数帯域において無線通信する通信システムの端末点を動作させる方法２１０を示している。方法２１０は、信号を受信するステップ２１２を含み、信号が、チャネルアクセスパターンに関する情報を含み、チャネルアクセスパターンが、通信システムの通信に使用可能な周波数帯域の周波数ホップベースおよび／またはタイムホップベースの占有を示す。さらに、方法２１０は、チャネルアクセスパターンに関する情報に基づいてチャネルアクセスパターンを識別するステップ２１４を含み、情報が、数値シーケンスを生成するための数値シーケンスジェネレータの状態を記述し、または情報が、数値シーケンスの番号を記述し、数値シーケンスがチャネルアクセスパターンを決定する。
【０２４１】
図１９は、本発明の実施形態にかかる、チャネルアクセスパターンを生成する方法３００を示している。方法３００は、チャネルアクセスパターンを生成するステップ３０２を含み、チャネルアクセスパターンが、通信システムの通信に使用可能な周波数帯域の周波数ホップベースおよび／または時間ホップベースの占有を示し、通信システムが、複数の通信システムによる通信に使用される周波数帯域において無線通信し、チャネルアクセスパターンが、数値シーケンスまたは数値シーケンスの番号を生成するための数値シーケンスジェネレータの状態の関数として生成される。
【０２４２】
図２０は、本発明の実施形態にかかる、複数の通信システムによる通信に使用される周波数帯域において無線通信するように構成された通信システムを動作させる方法４００を示している。方法４００は、通信システムの参加者またはそのサブセットが別の通信システムによって使用されるかどうかに関係なく、チャネルアクセスパターンに基づいて、周波数帯域の異なるチャネルの部分ごとに通信システムの参加者間でデータを転送するステップ４０２を含み、チャネルアクセスパターンは、複数の他の通信システムのうちの少なくとも１つの他の通信システムがそれに基づいて周波数帯域にアクセスする他のチャネルアクセスパターンとは異なる。
【０２４３】
図２１は、複数の通信システムによる無線通信に使用される周波数帯域において２つの通信システムを動作させる方法５００を示している。方法５００は、第１の通信システムの参加者またはそのサブセットが別の通信システムによって使用されるかどうかに関係なく、周波数帯域の異なるチャネルにおける部分ごとの第１のチャネルアクセスパターンに基づいて第１の通信システムの参加者間でデータを転送するステップ５０２を含む。さらに、この方法は、第２の通信システムの参加者またはそのサブセットが別の通信システムによって使用されるかどうかに関係なく、周波数帯域の異なるチャネルにおける部分ごとの第２のチャネルアクセスパターンに基づいて第２の通信システムの参加者間でデータを転送するステップ５０４を含み、第１のチャネルアクセスパターンおよび第２のチャネルアクセスパターンが異なる。
【０２４４】
実施形態は、以下の特徴のうちの少なくとも１つを備える、ネットワーク−個別のチャネルアクセスパターンの生成および適用を指す：
・チャネルアクセスパターンは、オーバーラップする部分シーケンスをできるだけ少なく含む、
・チャネルアクセスパターンの供給が多い（例えば、ネットワーク密度の高いエリア）、
・チャネルアクセスパターンは、周期性が非常に高くなるように設計されている、
・チャネルアクセスパターンは、（対応する要件がある場合）平均して均一な利用可能な周波数チャネルの使用につながる、
・適用されたパターンのシグナリングは、シグナリング情報が可能な限り少ない調整インスタンスによって行われる、
・端末装置は、チャネルアクセスのシグナリングが一度完全に受信されたときにいつでもアクセスパターンの内容を既に決定している可能性がある（これにより、端末装置は、例えば省エネの理由で、より長い受信一時停止を導入し、再度電源を入れたときに、受信が一時停止する前に受信した情報に基づいて有効なチャネルアクセスパターンを決定することができる）。
【０２４５】
実施形態は、端末装置から基地局へ、および１つ／いくつかの基地局から端末装置へのデータの無線転送のためのシステムにおいて使用される。例えば、システムは、パーソナルエリアネットワーク（ＰＡＮ）または低電力ワイドエリアネットワーク（ＬＰＷＡＮ）とすることができ、端末装置は、例えば、バッテリ駆動センサ（センサノード）とすることができる。
【０２４６】
実施形態は、相互に調整されていない多数の無線ベースのネットワークが共通の周波数帯域で動作し、異なるネットワークの参加者が相互の受信範囲にあり、したがってそれらの信号が潜在的な相互の妨害源である用途例に関する（図２を参照）。
【０２４７】
上記のように、本明細書に記載の実施形態は、テレグラム分割法に基づいて通信システムの参加者間でデータを転送するために使用されることができる。テレグラム分割法では、データ、例えばテレグラムまたはデータパケットは、複数のサブデータパケット（または部分データパケットまたは部分パケット）に分割され、サブデータパケットは、通信システムの参加者から別の参加者へ（例えば、基地局から端末点へ、または端末点から基地局へ）時間および／または周波数において分散された時間ホップパターンおよび／または周波数ホップパターンを使用して転送され、サブデータパケットを受信する参加者は、データパケットを取得するためにそれらを（または組み合わせて）再結合する。各サブデータパケットは、データパケットの一部のみを含む。さらにまた、データパケットは、データパケットを完全にデコードするために全てのサブデータパケットが必要であるのではなく、サブデータパケットの一部だけが必要であるように、チャネルエンコードされることができる。
【０２４８】
テレグラム分割法に基づくデータの転送では、サブデータパケットは、ネットワーク固有のチャネルアクセスパターンの利用可能なリソースのサブセット（例えば、選択）に分散して転送されることができる。例えば、リソースごとに１つのサブデータパケットを転送することができる。
【０２４９】
換言すれば、実施形態は、メッセージ（データパケット）がいくつかの部分データパケットで転送されるシステムにおいて有利に使用されることができる（いわゆるテレグラム分割、独国特許第１０  ２０１１  ０８２  ０９８号明細書を参照）。
【０２５０】
一部の態様は、装置の文脈において説明されているが、これらの態様は、対応する方法の説明も表すことが理解されるため、装置のブロックまたは構造コンポーネントも対応する方法ステップとしてまたは方法ステップの機能として理解されるべきである。それとの類推により、方法ステップの文脈内で、または方法ステップとして説明されてきた態様は、対応するブロックまたは対応する装置の詳細または特徴の説明も表す。マイクロプロセッサ、プログラム可能なコンピュータ、または電子回路などのハードウェア装置を使用しながら、方法ステップの一部または全てを実行することができる。いくつかの実施形態では、最も重要な方法ステップの一部またはいくつかは、そのような装置によって実行されることができる。
【０２５１】
特定の実装要件に応じて、本発明の実施形態は、ハードウェアまたはソフトウェアで実装されることができる。実装は、例えば、フロッピーディスク、ＤＶＤ、ブルーレイディスク、ＣＤ、ＲＯＭ、ＰＲＯＭ、ＥＰＲＯＭ、ＥＥＰＲＯＭ、フラッシュメモリ、ハードディスク、またはそれぞれの方法が実行されるようにプログラム可能なコンピュータシステムと協働または協働することができる電子的に読み取り可能な制御信号が記憶された任意の他の磁気または光学メモリなど、デジタル記憶媒体を使用しているときに実行されることができる。これは、デジタル記憶媒体がコンピュータ可読とすることができる理由である。
【０２５２】
したがって、本発明にかかるいくつかの実施形態は、本明細書に記載の方法のいずれかが実行されるようにプログラム可能なコンピュータシステムと協働することができる電子的に読み取り可能な制御信号を含むデータキャリアを備える。
【０２５３】
一般に、本発明の実施形態は、プログラムコードを有するコンピュータプログラム製品として実装されてもよく、プログラムコードは、コンピュータプログラム製品がコンピュータ上で実行されるときに任意の方法を実行するのに有効である。
【０２５４】
プログラムコードはまた、例えば、機械可読キャリアに記憶されてもよい。
【０２５５】
他の実施形態は、本明細書に記載されている方法のいずれかを実行するためのコンピュータプログラムを含み、前記コンピュータプログラムは、機械可読キャリアに記憶されている。
【０２５６】
したがって、換言すれば、本発明の方法の実施形態は、コンピュータプログラムがコンピュータ上で実行されるときに、本明細書に記載の方法のいずれかを実行するためのプログラムコードを有するコンピュータプログラムである。
【０２５７】
したがって、本発明の方法のさらなる実施形態は、本明細書に記載の方法のいずれかを実行するためのコンピュータプログラムが記録されるデータキャリア（またはデジタル記憶媒体またはコンピュータ可読媒体）である。データキャリア、デジタル記憶媒体、または記録媒体は、通常、有形および／または非一時的である。
【０２５８】
したがって、本発明の方法のさらなる例は、本明細書に記載の方法のいずれかを実行するためのコンピュータプログラムを表すデータストリームまたは信号のシーケンスである。データストリームまたは信号のシーケンスは、例えば、インターネットなどのデータ通信接続を介して転送されるように構成されてもよい。
【０２５９】
さらなる実施形態は、本明細書に記載の方法のいずれかを実行するように構成または適合された処理ユニット、例えば、コンピュータまたはプログラム可能なロジック装置を含む。
【０２６０】
さらなる実施形態は、本明細書に記載されている方法のいずれかを実行するためのコンピュータプログラムがインストールされているコンピュータを含む。
【０２６１】
本発明にかかるさらなる実施形態は、本明細書に記載の方法の少なくとも１つを実行するためのコンピュータプログラムを受信機に送信するように構成された装置またはシステムを含む。送信は、例えば、電子的または光学的とすることができる。受信機は、例えば、コンピュータ、モバイル装置、メモリ装置または同様の装置とすることができる。装置またはシステムは、例えば、コンピュータプログラムを受信機に送信するためのファイルサーバを含むことができる。
【０２６２】
いくつかの実施形態では、プログラム可能なロジック装置（例えば、フィールドプログラマブルゲートアレイ、ＦＰＧＡ）を使用して、本明細書に記載の方法の機能のいくつかまたは全てを実行することができる。いくつかの実施形態では、フィールドプログラマブルゲートアレイは、本明細書に記載の方法のいずれかを実行するためにマイクロプロセッサと協働することができる。一般に、方法は、いくつかの実施形態では、任意のハードウェア装置によって実行される。前記ハードウェア装置は、コンピュータプロセッサ（ＣＰＵ）などの普遍的に適用可能な任意のハードウェアとすることができるか、またはＡＳＩＣなどの方法に固有のハードウェアとすることができる。
【０２６３】
例えば、本明細書に記載の装置は、ハードウェア装置を使用して、またはコンピュータを使用して、またはハードウェア装置とコンピュータの組み合わせを使用して実装されることができる。
【０２６４】
本明細書に記載の装置、または本明細書に記載の装置の任意の構成要素は、ハードウェアおよび／またはソフトウェア（コンピュータプログラム）に少なくとも部分的に実装されることができる。
【０２６５】
例えば、本明細書に記載の方法は、ハードウェア装置を使用して、またはコンピュータを使用して、またはハードウェア装置とコンピュータの組み合わせを使用して実装されることができる。
【０２６６】
本明細書に記載の方法、または本明細書に記載の方法の任意のコンポーネントは、実行および／またはソフトウェア（コンピュータプログラム）によって少なくとも部分的に実装されることができる。
【０２６７】
上述した実施形態は、本発明の原理の例示を表すに過ぎない。当業者は、本明細書に記載の配置および詳細の変更および変形を理解するであろうことが理解される。これは、本発明が、実施形態の説明および説明によって本明細書に提示された特定の詳細によってではなく、以下の特許請求の範囲によってのみ限定されることが意図される理由である。
【０２６８】
参考文
［１］独国特許第１０  ２０１１  ０８２  ０９８号明細
【０２６９】
［２］独国特許第１０  ２０１７  ２０６  ２３６号明細書
【０２７０】
略語のリスト
ＣＲＣ：巡回冗長検査
ＬＰＷＡＮ：低電力ワイドエリアネットワーク
ＬＳＢ：最下位ビット
ＭＳＢ：最上位ビット
ＰＡＮ：パーソナルエリアネットワーク
ＴＬＳ：トランスポート層セキュリティ
ＴＳＭＡ：テレグラム分割多元接続
【０２７１】
付録
セクション２のＭＡＴＬＡＢ（登録商標）コード：
Ｎ＿ｆｒｅｑ＝７２；
Ｎ＿ｔｉｍｅ＝１５０００００；
Ｎ＿ｌｏｗ＝２１；
Ｎ＿ｈｉｇｈ＝５１；
ｒａｎｄ（‘ｓｔａｔｅ’，０）；
ｆｃ＝ｚｅｒｏｓ（１，Ｎ＿ｔｉｍｅ）；
Ｒ＿ｆ＝ｒａｎｄｉｎｔ（１，１０＊Ｎ＿ｔｉｍｅ，２＊Ｎ＿ｈｉｇｈ＋１）；
Ｒ＿ｆ＝Ｒ＿ｆ−Ｎ＿ｈｉｇｈ；
ｉｄｘ＝ｆｉｎｄ（Ｒ＿ｆ＞−Ｎ＿ｌｏｗ＆Ｒ＿ｆ＜Ｎ＿ｌｏｗ）；
Ｒ＿ｆ（ｉｄｘ）＝［］；
Ｒ＿ｆ＝Ｒ＿ｆ（１：Ｎ＿ｔｉｍｅ）；
ｆｃ（１）＝３０；
ｆｏｒ  ｐ＝１：Ｎ＿ｔｉｍｅ−１；
ｆｃ（ｐ＋１）＝ｍｏｄ（ｆｃ（ｐ）＋Ｒ＿ｆ（ｐ），Ｎ＿ｆｒｅｑ）；％周波数チャネルインデックス
ｅｎｄ
Ｄｅｌｔ＿ｆｃ１＝（ｆｃ（２：ｅｎｄ）−ｆｃ（１：ｅｎｄ−１））；％連続アクセスのインデックス差
ｆｉｇｕｒｅ（１）；ｈｉｓｔ（Ｄｅｌｔ＿ｆｃ１，−７２：７２）；
ｈ＝ｇｃａ；ｓｅｔ（ｈ，‘ＸＬｉｍ’，［−７２  ７２］）；
ｘｌａｂｅｌ（‘￥Ｄｅｌｔａｆｉ’）；ｙｌａｂｅｌ（‘結果の数’）；
ｔｉｔｌｅ（‘￥Ｄｅｌｔａｆｉのヒストグラム’）；
【図１】
2021528913.tif 000004
【図２】
2021528913.tif 000005
【図３】
2021528913.tif 000006
【図４】
2021528913.tif 000007
【図５】
2021528913.tif 000008
【図６】
2021528913.tif 000009
【図７】
2021528913.tif 000010
【図８】
2021528913.tif 000011
【図９】
2021528913.tif 000012
【図１０】
2021528913.tif 000013
【図１１】
2021528913.tif 000014
【図１２】
2021528913.tif 000015
【図１３】
2021528913.tif 000016
【図１４】
2021528913.tif 000017
【図１５】
2021528913.tif 000018
【図１６】
2021528913.tif 000019
【図１７】
2021528913.tif 000020
【図１８】
2021528913.tif 000021
【図１９】
2021528913.tif 000022
【図２０】
2021528913.tif 000023
【図２１】
2021528913.tif 000024
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
通信システム（１０２）の基地局（１０４）であって、前記通信システム（１０２）が、複数の通信システムによる通信に使用される周波数帯域において無線通信し、
前記基地局（１０４）が、信号（１２０）を送信するように構成され、前記信号（１２０）が、チャネルアクセスパターン（１１０）に関する情報を含み、前記チャネルアクセスパターン（１１０）が、前記通信システムの前記通信に使用可能な前記周波数帯域の周波数ホップベースおよび／または時間ホップベースの占有を示し、前記情報が、数値シーケンスを生成するための数値シーケンスジェネレータ（１３４）の状態（１４２）を記述し、または前記情報が、数値シーケンスの番号（１４３＿１、１４３＿２）を記述し、前記数値シーケンスが前記チャネルアクセスパターン（１１０）を決定し、前記基地局（１０４）が、前記チャネルアクセスパターンによって決定されたリソースの実際のサブセットを使用することによって前記通信システムの参加者と通信するように構成される、基地局（１０４）。
【請求項２】
前記チャネルアクセスパターンが、前記複数の他の通信システムのうちの少なくとも１つの他の通信システムがそれに基づいて前記周波数帯域にアクセスする別のチャネルアクセスパターンとは異なる、請求項１に記載の基地局（１０４）。
【請求項３】
前記基地局（１０４）が、前記他の通信システムに関して非協調的に動作するように構成される、請求項１〜２のいずれか一項に記載の基地局（１０４）。
【請求項４】
前記基地局（１０４）が、前記チャネルアクセスパターン（１１０）に関する前記情報を有する前記信号（１２０）を複数回放出するように構成され、
前記信号（１２０）の連続放出とともに転送される前記チャネルアクセスパターン（１１０）に関する前記情報が、前記数値シーケンスジェネレータ（１３４）の異なる状態（１４２）または前記数値シーケンスの異なる番号（１４３＿１，１４３＿２）を記述する、請求項１〜３のいずれか一項に記載の基地局（１０４）。
【請求項５】
前記信号（１２０）の放出とともに転送される前記情報が、前記数値シーケンスジェネレータの前記状態（１４２）のサブセットまたは前記数値シーケンスの前記番号（１４３＿１，１４３＿２）のみを記述する、請求項１〜４に記載の基地局（１０４）。
【請求項６】
前記チャネルアクセスパターン（１１０）に関する前記情報が、前記数値シーケンスジェネレータ（１３４）の前記状態（１４２）またはそこから導出された情報であり、
または、前記チャネルアクセスパターン（１１０）に関する前記情報が、前記数値シーケンスの前記番号（１４３＿１、１４３＿２）またはそこから導出された情報である、請求項１〜５のいずれか一項に記載の基地局（１０４）。
【請求項７】
前記基地局（１０４）が、前記数値シーケンスジェネレータ（１３４）の前記状態（１４２）または前記数値シーケンスジェネレータ（１３４）の前記状態（１４２）から導出された前記数値シーケンスの番号（１４２’）の関数として前記チャネルアクセスパターン（１１０）を識別するように構成される、請求項１〜６のいずれか一項に記載の基地局（１０４）。
【請求項８】
前記数値シーケンスジェネレータ（１３８）の状態（１４２）に続く前記数値シーケンスジェネレータ（１３８）の前記状態（１４２）が、前記数値シーケンスジェネレータ（１３８）の前記状態（１４２）に基づいて識別可能であり、
前記基地局（１０４）が、前記数値シーケンスジェネレータ（１３８）の前記次の状態（１４２）またはそれから導出された前記数値シーケンスの次の番号（１４２’）の関数として前記チャネルアクセスパターン（１１０）を識別するように構成される、請求項１〜７に記載の基地局（１０４）。
【請求項９】
前記基地局（１０４）が、前記通信システム（１０２）の個々の情報の関数として前記チャネルアクセスパターン（１１０）を識別するように構成される、請求項１〜８のいずれか一項に記載の基地局（１０４）。
【請求項１０】
前記通信システム（１０２）の前記個々の情報が、前記通信システム（１０２）の固有の情報である、請求項９に記載の基地局（１０４）。
【請求項１１】
前記通信システム（１０２）の前記固有の情報が、ネットワーク固有の識別子（１４０）である、請求項１０に記載の基地局（１０４）。
【請求項１２】
前記ネットワーク固有の識別子が、前記通信システム（１０２）の識別である、請求項１１に記載の基地局（１０４）。
【請求項１３】
前記基地局（１０４）が、マッピング関数を使用することによって、
−前記数値シーケンスジェネレータ（１３４）の前記状態（１４２）または前記数値シーケンスジェネレータ（１３４）の前記状態（１４２）から導出された前記数値シーケンスの番号（１４２’）、または前記数値シーケンスの前記番号（１４３＿１、１４３＿２）、および
−前記通信システムの前記個々の情報（１０２）
を時間情報（１４８）および周波数情報（１４６）上にマッピングするように構成され、
前記時間情報（１４８）および前記周波数情報（１４６）が、前記チャネルアクセスパターン（１１０）のリソース（１１２）を記述する、請求項１〜１２のいずれか一項に記載の基地局（１０４）。
【請求項１４】
前記時間インデックス情報（１４８）が、タイムスロットまたはタイムスロットインデックスを記述する、請求項１３に記載の基地局（１０４）。
【請求項１５】
前記時間情報（１４８）をマッピングするとき、前記マッピング関数が、前記通信システム（１０２）の活動率を考慮し、
前記活動率が、実行前に指定されるか、または前記信号（１２０）または前記基地局（１０４）によって送信されるさらなる信号が、前記活動率に関する情報を含む、請求項１３〜１４のいずれか一項に記載の基地局（１０４）。
【請求項１６】
前記時間情報（１４８）上にマッピングするとき、前記マッピング関数が、前記チャネルアクセスパターン（１１０）が異なる活動率の領域を含むように、前記通信システム（１０２）の異なる活動率を考慮し、
前記信号（１２０）または前記さらなる信号が、前記活動率に関する情報を含む、請求項１５に記載の基地局（１０４）。
【請求項１７】
前記基地局（１０４）が、前記通信システム（１０２）の現在のまたは予測される利用状況の関数として前記活動率を動的に適応させるように構成される、請求項１５〜１６のいずれか一項に記載の基地局（１０４）。
【請求項１８】
前記時間情報（１４８）上にマッピングするとき、前記マッピング関数が、前記チャネルアクセスパターン（１１０）の連続するタイムスロットまたはタイムスロットインデックス間の指定された最小距離にしたがう、請求項１４〜１７のいずれか一項に記載の基地局（１０４）。
【請求項１９】
前記周波数情報（１４６）が、周波数チャネルまたは周波数チャネルインデックスを記述する、請求項１３〜１８のいずれか一項に記載の基地局（１０４）。
【請求項２０】
前記周波数情報（１４６）が、連続する周波数チャネル間の距離、または前記チャネルアクセスパターン（１１０）の周波数チャネルインデックスを記述する、請求項１３〜１８のいずれか一項に記載の基地局（１０４）。
【請求項２１】
前記周波数情報（１４６）上にマッピングするとき、前記マッピング関数が、連続する周波数チャネル間の指定された最小距離または前記チャネルアクセスパターン（１１０）の周波数チャネルインデックスにしたがう、請求項１９〜２０のいずれか一項に記載の基地局（１０４）。
【請求項２２】
前記周波数情報（１４６）上にマッピングする場合、干渉しやすい周波数チャネルまたは前記干渉しやすい周波数チャネルの範囲が、前記チャネルアクセスパターン（１１０）によって占有されていないかまたはより少なく占有されるように前記マッピング関数が、前記周波数帯域の前記干渉しやすい周波数チャネルまたは前記干渉しやすい周波数チャネルの範囲を考慮する、請求項１３〜２１のいずれか一項に記載の基地局（１０４）。
【請求項２３】
前記周波数情報（１４６）が、少なくとも２つの直接隣接または離間した周波数チャネルまたは周波数チャネルインデックスを含む、前記周波数帯域の周波数リソースのバンドリングを記述する、請求項１３〜２２のいずれか一項に記載の基地局（１０４）。
【請求項２４】
前記基地局（１０４）が、
−前記数値シーケンスジェネレータ（１３４）の前記状態（１４２）、または前記数値シーケンスジェネレータ（１３４）の前記状態（１４２）から導出された前記数値シーケンスの番号（１４２’）、または前記数値シーケンスの前記番号（１４３＿１、１４３＿２）、および
−前記通信システムの個々の情報（１０２）
の関数として疑似乱数Ｒを識別するように構成され、
前記疑似乱数Ｒが、前記チャネルアクセスパターン（１１０）を決定する、請求項１〜２３のいずれか一項に記載の基地局（１０４）。
【請求項２５】
前記基地局（１０４）が、前記疑似乱数Ｒに基づいて前記チャネルアクセスパターン（１１０）のリソース（１１２）を識別するように構成される、請求項２４に記載の基地局（１０４）。
【請求項２６】
前記信号（１２０）がビーコン信号である、請求項１〜２５のいずれか一項に記載の基地局（１０４）。
【請求項２７】
前記数値シーケンスジェネレータ（１３４）が、周期的数値シーケンスを生成するための周期的数値シーケンスジェネレータである、請求項１〜２６のいずれか一項に記載の基地局（１０４）。
【請求項２８】
前記数値シーケンスジェネレータ（１３４）が、疑似乱数数値シーケンスを生成するための決定論的乱数ジェネレータである、請求項１〜２７のいずれか一項に記載の基地局（１０４）。
【請求項２９】
前記数値シーケンスジェネレータの前記状態（１４２）が、周期的ビーコンインデックスおよび／または周期的タイムスロットインデックスであり、
または、前記数値シーケンスジェネレータ（１３４）の前記状態（１４２）から導出された番号（１４２’）が、周期的ビーコンインデックスおよび／または周期的タイムスロットインデックスである、請求項１〜２８のいずれか一項に記載の基地局（１０４）。
【請求項３０】
前記数値シーケンスの前記番号（１４３＿１、１４３＿２）が、周期的ビーコンインデックスおよび／または周期的タイムスロットインデックスである、請求項１〜２９のいずれか一項に記載の基地局（１０４）。
【請求項３１】
前記チャネルアクセスパターンによって定義される前記周波数帯域の占有が、別の通信システムによる前記周波数帯域の占有と少なくとも部分的にオーバーラップする、請求項１〜３０のいずれか一項に記載の基地局（１０４）。
【請求項３２】
通信システム（１０２）の端末点（１０６＿１）であって、前記通信システム（１０２）が、複数の通信システムによる通信に使用される周波数帯域において無線通信し、
前記端末点（１０６＿１）が、信号（１２０）を受信するように構成され、前記信号（１２０）が、チャネルアクセスパターン（１１０）に関する情報を含み、前記チャネルアクセスパターン（１１０）が、前記通信システム（１０２）の前記通信に使用可能な前記周波数帯域の周波数ホップベースおよび／または時間ホップベースの占有を示し、
前記端末点（１０６＿１）が、前記チャネルアクセスパターン（１１０）に関する前記情報に基づいて前記チャネルアクセスパターン（１１０）を識別するように構成され、
前記情報が、数値シーケンスを生成するための数値シーケンスジェネレータ（１３４）の状態（１４２）を記述し、または前記情報が、数値シーケンスの番号（１４３＿１、１４３＿２）を記述し、前記数値シーケンスが、前記チャネルアクセスパターン（１１０）を決定し、
前記端末点（１０６）が、前記チャネルアクセスパターンによって決定されたリソースの実際のサブセットを使用することによって前記通信システムの参加者と通信するように構成される、端末点（１０６＿１）。
【請求項３３】
前記チャネルアクセスパターンが、前記複数の他の通信システムのうちの少なくとも１つの他の通信システムがそれに基づいて前記周波数帯域にアクセスする別のチャネルアクセスパターンとは異なる、請求項３２に記載の端末点（１０６＿１）。
【請求項３４】
前記端末点（１０６＿１）が、前記他の通信システムに対して非協調的に動作するように構成される、請求項３２〜３３のいずれか一項に記載の端末点（１０６＿１）。
【請求項３５】
前記端末点（１０６＿１）が、前記チャネルアクセスパターン（１１０）に関する前記情報を含む前記信号（１２０）を複数回受信するように構成され、
前記信号（１２０）の連続放出とともに転送される前記チャネルアクセスパターン（１１０）に関する前記情報が、前記数値シーケンスジェネレータ（１３４）の異なる状態（１４２）または前記数値シーケンスの異なる番号（１４３＿１，１４３＿２）を記述し、
前記端末点（１０６）が、前記チャネルアクセスパターン（１１０）に関する前記情報に基づいて前記チャネルアクセスパターン（１１０）を識別するように構成される、請求項３２〜３４のいずれか一項に記載の端末点（１０６＿１）。
【請求項３６】
前記信号（１２０）の放出とともに転送される前記情報が、前記数値シーケンスジェネレータ（１３４）の前記状態（１４２）または前記数値シーケンスの前記番号（１４３＿１、１４３＿２）ののサブセットのみを記述する、請求項３５に記載の端末点（１０６＿１）。
【請求項３７】
前記チャネルアクセスパターン（１１０）に関する前記情報が、前記数値シーケンスジェネレータ（１３４）の前記状態（１４２）またはそこから導出された情報であり、
または、前記チャネルアクセスパターン（１１０）に関する前記情報は、前記数値シーケンスの前記番号（１４３＿１、１４３＿２）またはそこから導出された情報である、請求項３２〜３６のいずれか一項に記載の端末点（１０６＿１）。
【請求項３８】
前記端末点（１０６＿１）が、前記数値シーケンスジェネレータ（１３４）の前記状態（１４２）または前記数値シーケンスジェネレータ（１３４）の前記状態（１４２）から導出された前記数値シーケンスの番号（１４２’）の関数として前記チャネルアクセスパターン（１１０）を識別するように構成される、請求項３２〜３７のいずれか一項に記載の端末点（１０６＿１）。
【請求項３９】
前記数値シーケンスジェネレータ（１３４）の状態（１４２）に続く前記数値シーケンスジェネレータ（１３４）の前記状態（１４２）が、前記数値シーケンスジェネレータ（１３４）の前記状態（１４２）に基づいて識別可能であり、
前記端末点（１０６＿１）が、前記数値シーケンスジェネレータ（１３４）の前記次の状態（１４２）またはそれから導出された前記数値シーケンスの次の番号（１４２’）の関数として前記チャネルアクセスパターン（１１０）を識別するように構成される、請求項３２〜３８のいずれか一項に記載の端末点（１０６＿１）。
【請求項４０】
前記端末点（１０６＿１）が、前記通信システム（１０２）の個々の情報の関数として前記チャネルアクセスパターン（１１０）を識別するように構成される、請求項３２〜３９のいずれか一項に記載の端末点（１０６＿１）。
【請求項４１】
前記通信システム（１０２）の前記個々の情報が、前記通信システム（１０２）の固有の情報である、請求項４０に記載の端末点（１０６＿１）。
【請求項４２】
前記通信システム（１０２）の前記固有の情報が、ネットワーク固有の識別子である、請求項４１に記載の端末点（１０６＿１）。
【請求項４３】
前記ネットワーク固有の識別子が、前記通信システム（１０２）の識別である、請求項４２に記載の端末点（１０６＿１）。
【請求項４４】
前記端末点（１０６＿１）が、マッピング関数を使用することにより、
−前記数値シーケンスジェネレータ（１３４）の前記状態（１４２）または前記数値シーケンスジェネレータ（１３４）の前記状態（１４２）から導出された前記数値シーケンスの番号（１４２’）、または前記数値シーケンスの前記番号（１４３＿１、１４３＿２）、および
前記通信システムの前記個々の情報（１０２）
を時間情報（１４８）および周波数情報（１４６）上にマッピングするように構成され、
前記時間情報（１４８）および前記周波数情報（１４６）が、前記チャネルアクセスパターン（１１０）のリソース（１１２）を記述する、請求項３２〜４３のいずれか一項に記載の端末点（１０６＿１）。
【請求項４５】
前記時間インデックス情報（１４８）が、タイムスロットまたはタイムスロットインデックスを記述する、請求項４４に記載の端末点（１０６＿１）。
【請求項４６】
前記時間情報（１４８）をマッピングするとき、前記マッピング関数が、前記通信システム（１０２）の活動率を考慮し、
前記活動率が、実行前に指定されるか、または前記信号（１２０）またはさらなる受信信号が、前記活動率に関する情報を含む、請求項４４〜４５のいずれかに記載の端末点（１０６＿１）。
【請求項４７】
前記時間情報（１４８）上にマッピングするとき、前記マッピング関数が、前記チャネルアクセスパターン（１１０）が異なる活動率の領域を含むように、前記通信システム（１０２）の異なる活動率を考慮し、
前記信号（１２０）または前記さらなる信号が、前記活動率に関する情報を含む、請求項４６に記載の端末点（１０６＿１）。
【請求項４８】
前記信号が前記通信システムの前記活動率に関する情報を含み、
または、前記端末点（１０６＿１）がさらなる信号を受信するように構成され、前記さらなる信号が前記通信システムの前記活動率に関する情報を含む、請求項４６〜４７のいずれかに記載の端末点（１０６＿１）。
【請求項４９】
前記時間情報（１４８）上にマッピングするとき、前記マッピング関数が、前記チャネルアクセスパターン（１１０）の連続するタイムスロットまたはタイムスロットインデックス間の指定された最小距離にしたがう、請求項４５〜４８のいずれかに記載の端末点（１０６＿１）。
【請求項５０】
前記周波数情報（１４６）が、周波数チャネルまたは周波数チャネルインデックスを記述する、請求項４４〜４９のいずれかに記載の端末点（１０６＿１）。
【請求項５１】
前記周波数情報（１４６）が、連続する周波数チャネル間の距離、または前記チャネルアクセスパターン（１１０）の周波数チャネルインデックスを記述する、請求項４４〜４９のいずれかに記載の端末点（１０６＿１）。
【請求項５２】
前記周波数情報（１４６）上にマッピングするとき、前記マッピング関数が、連続する周波数チャネル間の指定された最小距離または前記チャネルアクセスパターン（１１０）の周波数チャネルインデックスにしたがう、請求項５０〜５１のいずれか一項に記載の端末点（１０６＿１）。
【請求項５３】
前記周波数情報（１４６）上にマッピングする場合、干渉しやすい周波数チャネルまたは前記干渉しやすい周波数チャネルの範囲が、前記チャネルアクセスパターン（１１０）によって占有されていないかまたはより少なく占有されるように前記マッピング関数が、前記周波数帯域の前記干渉しやすい周波数チャネルまたは前記干渉しやすい周波数チャネルの範囲を考慮する、請求項４４〜５２のいずれかに記載の端末点（１０６＿１）。
【請求項５４】
前記周波数情報が、少なくとも２つの直接隣接または離間した周波数チャネルまたは周波数チャネルインデックスを記述する、請求項３９〜４８のいずれか一項に記載の端末点（１０６＿１）。
【請求項５５】
前記端末点（１０６＿１）が、
−前記数値シーケンスジェネレータ（１３４）の前記状態（１４２）、または前記数値シーケンスジェネレータ（１３４）の前記状態（１４２）から導出された前記数値シーケンスの番号（１４２’）、または前記数値シーケンスの前記番号（１４３＿１、１４３＿２）、および
−前記通信システムの個々の情報（１０２）
の関数として疑似乱数Ｒを識別するように構成され、
前記疑似乱数Ｒが、前記チャネルアクセスパターン（１１０）を決定する、請求項３２〜５４のいずれか一項に記載の端末点（１０６＿１）。
【請求項５６】
前記端末点（１０６＿１）が、前記疑似乱数Ｒに基づいて前記チャネルアクセスパターン（１１０）のリソース（１１２）を識別するように構成される、請求項５５に記載の端末点（１０６＿１）。
【請求項５７】
前記信号（１２０）がビーコン信号である、請求項の３２〜５６いずれか一項に記載の端末点（１０６＿１）。
【請求項５８】
前記数値シーケンスジェネレータ（１３４）が、周期的数値シーケンスを生成するための周期的数値シーケンスジェネレータである、請求項３２〜５７のいずれか一項に記載の端末点（１０６＿１）。
【請求項５９】
前記数値シーケンスジェネレータ（１３４）が、疑似乱数数値シーケンスを生成するための決定論的乱数ジェネレータである、請求項３２〜５８のいずれか一項に記載の端末点（１０６＿１）。
【請求項６０】
前記数値シーケンスジェネレータ（１３４）の前記状態（１４２）が、周期的ビーコンインデックスおよび／または周期的タイムスロットインデックスであり、
または、前記数値シーケンスジェネレータ（１３４）の前記状態（１４２）から導出された番号（１４２’）が、周期的ビーコンインデックスおよび／または周期的タイムスロットインデックスである、請求項３２〜５９のいずれか一項に記載の端末点（１０６＿１）。
【請求項６１】
前記数値シーケンスの前記番号（１４３＿１、１４３＿２）が、周期的ビーコンインデックスおよび／または周期的タイムスロットインデックスである、請求項３２〜６０のいずれか一項に記載の端末点（１０６＿１）。
【請求項６２】
前記チャネルアクセスパターンによって定義される前記周波数帯域の占有が、別の通信システムによる前記周波数帯域の占有と少なくとも部分的にオーバーラップする、請求項３２〜６１のいずれか一項に記載の端末点（１０６＿１）。
【請求項６３】
通信システム（１０２）であって、
請求項１〜３１のいずれか一項に記載の基地局（１０４）と、
請求項３２〜６２のいずれか一項に記載の少なくとも１つの端末点（１０６＿１）と、を備える、通信システム（１０２）。
【請求項６４】
通信システム（１０２）の基地局（１０４）を動作させる方法（２００）であって、
前記通信システム（１０２）が、複数の通信システムによる通信に使用される周波数帯域において無線通信し、前記方法が、
信号（１２０）を送信すること（２０２）であって、前記信号（１２０）が、チャネルアクセスパターン（１１０）に関する情報を含み、前記チャネルアクセスパターン（１１０）が、前記通信システム（１０２）の前記通信に使用可能な前記周波数帯域の周波数ホップベースおよび／または時間ホップベースの占有を示し、
前記情報が、数値シーケンスを生成するための数値シーケンスジェネレータ（１３４）の状態（１４２）を記述し、または前記情報が、数値シーケンスの番号（１４３＿１、１４３＿２）を記述し、前記数値シーケンスが、前記チャネルアクセスパターンを決定することと、
前記チャネルアクセスパターンによって決定されたリソースの実際のサブセットを使用することによって前記通信システムの参加者と通信することと、を備える、方法（２００）。
【請求項６５】
通信システム（１０２）の端末点（１０６＿１）を動作させる方法（２１０）であって、前記通信システム（１０２）が、複数の通信システムによる通信に使用される周波数帯域において無線通信し、前記方法が、
信号（１２０）を受信すること（２１２）であって、前記信号（１２０）が、チャネルアクセスパターン（１１０）に関する情報を含み、前記チャネルアクセスパターン（１１０）が、前記通信システム（１０２）の前記通信に使用可能な前記周波数帯域の周波数ホップベースおよび／または時間ホップベースの占有を示すことと、
前記チャネルアクセスパターンに関する前記情報に基づいて前記チャネルアクセスパターン（１１０）を識別すること（２１４）であって、
前記情報が、数値シーケンスを生成するための数値シーケンスジェネレータ（１３４）の状態（１４２）を記述し、または前記情報が、数値シーケンスの番号（１４３＿１、１４３＿２）を記述し、前記数値シーケンスが、前記チャネルアクセスパターンを決定することと、
前記チャネルアクセスパターンによって決定されたリソースの実際のサブセットを使用することによって前記通信システムの参加者と通信することと、を備える、方法（２１０）。
【請求項６６】
コンピュータプログラムがコンピュータまたはマイクロプロセッサ上で実行される場合、請求項６４〜６５のいずれか一項に記載の方法を実行するためのコンピュータプログラム。
【国際調査報告】
2021528913.tif 000025
2021528913.tif 000026
2021528913.tif 000027
2021528913.tif 000028
2021528913.tif 000029